(57)【特許請求の範囲】
【請求項１】
端末がサウンディング参照信号（Ｓｏｕｎｄｉｎｇ  Ｒｅｆｅｒｅｎｃｅ  Ｓｉｇｎａｌ；ＳＲＳ）を送信する方法であって、
（ｉ）時間的に連続し、前記ＳＲＳの送信のために設定されたシンボルＬの数に関する第１情報と、（ｉｉ）前記ＳＲＳの送信に対するシンボルレベル繰り返しファクタＲに関する第２情報を受信するステップであって、Ｌは４に等しく、Ｒは２に等しい、ステップと、
第１周波数リソースと第２周波数リソースを利用して、前記第１情報及び前記第２情報に基づくスロット内で前記ＳＲＳを送信するステップとを含み、
前記スロット内のＬ連続シンボルの中の第１Ｒ連続シンボルは、前記第１周波数リソース内で前記ＳＲＳを送信するために利用され、
前記スロット内のＬ連続シンボルの中の第２Ｒ連続シンボルは、前記第２周波数リソース内で前記ＳＲＳを送信するために利用される、ＳＲＳ送信方法。
【請求項２】
前記第１Ｒ連続シンボルと前記第２Ｒ連続シンボルは時間領域内で重ならない、請求項１に記載のＳＲＳ送信方法。
【請求項３】
前記第１周波数リソースは前記第２周波数リソースとは異なる、請求項１に記載のＳＲＳ送信方法。
【請求項４】
前記第１情報と前記第２情報を受信するステップは、
前記第１情報と前記第２情報をｒａｄｉｏ  ｒｅｓｏｕｒｃｅ  ｃｏｎｔｒｏｌ（ＲＲＣ）シグナリングを介して受信するステップを含む、請求項１に記載のＳＲＳ送信方法。
【請求項５】
前記ＳＲＳの送信のための周波数ホッピングに関連するパラメータを受信するステップをさらに含み、
前記第１周波数リソースと前記第２周波数リソースを利用して前記スロット内で前記ＳＲＳを送信することは、前記周波数ホッピングに関連する前記パラメータにさらに基づく、請求項１に記載のＳＲＳ送信方法。
【請求項６】
前記周波数ホッピングに関連する前記パラメータは、前記ＳＲＳの帯域幅に関連する情報を含む、請求項５に記載のＳＲＳ送信方法。
【請求項７】
サウンディング参照信号（Ｓｏｕｎｄｉｎｇ  Ｒｅｆｅｒｅｎｃｅ  Ｓｉｇｎａｌ；ＳＲＳ）を送信する端末であって、
受信器と、
送信器と、
少なくとも一つのプロセッサと、
前記少なくとも一つのプロセッサと動作的に連結され、指示（ｉｎｓｔｒｕｃｔｉｏｎｓ）を格納する少なくとも一つのコンピュータメモリを備え、
前記指示が実行された時、前記少なくとも一つのプロセッサは、
前記受信器が、（ｉ）時間的に連続し、前記ＳＲＳの送信のために設定されたシンボルＬの数に関する第１情報と、（ｉｉ）前記ＳＲＳの送信に対するシンボルレベル繰り返しファクタＲに関する第２情報を受信するように制御し、Ｌは４に等しく、Ｒは２に等しく、
前記送信器が、第１周波数リソースと第２周波数リソースを利用して、前記第１情報及び前記第２情報に基づくスロット内で前記ＳＲＳを送信するように制御することを含む動作を実行し、
前記スロット内のＬ連続シンボルの中の第１Ｒ連続シンボルは、前記第１周波数リソース内で前記ＳＲＳを送信するために利用され、
前記スロット内のＬ連続シンボルの中の第２Ｒ連続シンボルは、前記第２周波数リソース内で前記ＳＲＳを送信するために利用される、端末。
【請求項８】
前記第１Ｒ連続シンボルと前記第２Ｒ連続シンボルは時間領域内で重ならない、請求項７に記載の端末。
【請求項９】
前記第１周波数リソースは前記第２周波数リソースとは異なる、請求項７に記載の端末。
【請求項１０】
前記第１情報と前記第２情報を受信することは、
前記第１情報と前記第２情報をｒａｄｉｏ  ｒｅｓｏｕｒｃｅ  ｃｏｎｔｒｏｌ（ＲＲＣ）シグナリングを介して受信することを含む、請求項７に記載の端末。
【請求項１１】
前記動作は、前記受信器が前記ＳＲＳの送信のための周波数ホッピングに関連するパラメータを受信するように制御することをさらに含み、
前記第１周波数リソースと前記第２周波数リソースを利用して、前記送信器が前記スロット内で前記ＳＲＳを送信するように制御することは、前記周波数ホッピングに関連する前記パラメータにさらに基づく、請求項７に記載の端末。
【請求項１２】
前記周波数ホッピングに関連する前記パラメータは、前記ＳＲＳの帯域幅に関連する情報を含む、請求項１１に記載の端末。
【発明の詳細な説明】
【技術分野】
【０００１】
本発明は、無線通信に関し、より詳細には、ＳＲＳを送信する方法及びそのための端末に関する。
【背景技術】
【０００２】
Ｎｅｗ  ｒａｄｉｏ  ａｃｃｅｓｓ  ｔｅｃｈｎｏｌｏｇｙ（ＲＡＴ）システムが導入される場合、より多い通信機器がより大きい通信容量を要求することにより、既存のＲＡＴに比べて向上した無線広帯域（ｍｏｂｉｌｅ  ｂｒｏａｄｂａｎｄ）通信に対する必要性が台頭しつつある。
【０００３】
また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮すべき重要なイシューの１つである。のみならず、信頼度（ｒｅｌｉａｂｉｌｉｔｙ）及びレイテンシ（ｌａｔｅｎｃｙ）に敏感なサービス／ＵＥを考慮した通信システムデザインが論議されている。このように、Ｎｅｗ  ＲＡＴでは、ｅｎｈａｎｃｅｄ  ｍｏｂｉｌｅ  ｂｒｏａｄｂａｎｄ  ｃｏｍｍｕｎｉｃａｔｉｏｎ（ｅＭＢＢ）、ｍａｓｓｉｖｅ  ＭＴＣ（ｍＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮したサービスを提供しようとする。次世代５Ｇシステムでは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｌｅ  Ｍａｃｈｉｎｅ−Ｔｙｐｅ  Ｃｏｍｍｕｎｉｃａｔｉｏｎｓ（ｕＭＴＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオを区分することができる。ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ｕＭＴＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明が遂げようとする技術的課題は、ＳＲＳを送信する方法を提供することにある。
【０００５】
本発明が遂げようとする別の技術的課題は、ＳＲＳを送信するための端末を提供することにある。
【０００６】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００７】
上述した技術的課題を達成するための、端末がサウンディング参照シンボル（Ｓｏｕｎｄｉｎｇ  Ｒｅｆｅｒｅｎｃｅ  Ｓｙｍｂｏｌ；ＳＲＳ）を送信する方法は、ＳＲＳシーケンスパラメータのうち、周波数ホッピングパターンに連動して設定される所定の少なくとも１つのＳＲＳシーケンスパラメータに関する情報を含む第１の情報を基地局から受信するステップと、前記所定の少なくとも１つのＳＲＳシーケンスパラメータに対しては、前記端末に設定された周波数ホッピングパターンに対応するパラメータの値を用いてＳＲＳシーケンスを生成するステップと、前記生成されたＳＲＳシーケンスが適用された前記ＳＲＳをＳＲＳリソースを介して前記基地局に送信するステップを含むことができる。
【０００８】
前記方法は、前記所定の少なくとも１つのＳＲＳシーケンスパラメータに対して、前記端末に設定された周波数ホッピングパターンに対応するパラメータの値を指示する情報を含む第２の情報を受信するステップをさらに含むことができる。前記端末に設定された周波数ホッピングパターンに対応するパラメータの値は、前記周波数ホッピングパターンごとに互いに異なる値に設定されることができる。前記第２の情報は、ＤＣＩ（ＤＣＩ）フォーマットタイプとして受信されることができる。
【０００９】
前記所定の少なくとも１つのＳＲＳシーケンスパラメータに関する情報は、前記少なくとも１つのＳＲＳシーケンスパラメータの値を含むことができる。前記周波数ホッピングは、前記端末に対してスロット（ｓｌｏｔ）レベルで設定されることができる。前記第１の情報は、無線リソース制御（Ｒａｄｉｏ  Ｒｅｓｏｕｒｃｅ  Ｃｏｎｔｒｏｌ；ＲＲＣ）シグナリングを介して受信されることができる。前記ＳＲＳリソースは１つ以上のシンボルを含むことができる。
【００１０】
上述した別の技術的課題を達成するための、サウンディング参照シンボル（Ｓｏｕｎｄｉｎｇ  Ｒｅｆｅｒｅｎｃｅ  Ｓｙｍｂｏｌ；ＳＲＳ）を送信する端末は、基地局からＳＲＳシーケンスパラメータのうち、周波数ホッピングパターンに連動して設定される所定の少なくとも１つのＳＲＳシーケンスパラメータに関する情報を含む第１の情報を受信するように構成された（ｃｏｎｆｉｇｕｒｅｄ）受信器と、前記所定の少なくとも１つのＳＲＳシーケンスパラメータに対しては、前記端末に設定された周波数ホッピングパターンに対応するパラメータの値を用いてＳＲＳシーケンスを生成するように構成されたプロセッサと、前記生成されたＳＲＳシーケンスが適用された前記ＳＲＳを前記ＳＲＳリソースを介して送信するように構成された送信器を含むことができる。
【００１１】
前記受信器は、前記所定の少なくとも１つのＳＲＳシーケンスパラメータに対して、前記端末に設定された周波数ホッピングパターンに対応するパラメータの値を指示する情報を含む第２の情報をさらに受信するように構成されることができる。前記所定の少なくとも１つのＳＲＳシーケンスパラメータに関する情報は、前記少なくとも１つのＳＲＳシーケンスパラメータの値を含むことができる。前記端末に設定された周波数ホッピングパターンに対応するパラメータの値は、前記周波数ホッピングパターンごとに互いに異なる値に設定されることができる。前記周波数ホッピングは、前記端末に対してスロット（ｓｌｏｔ）レベルで設定されることができる。前記受信器は、前記第１の情報を無線リソース制御（Ｒａｄｉｏ  Ｒｅｓｏｕｒｃｅ  Ｃｏｎｔｒｏｌ；ＲＲＣ）シグナリングを介して受信することができる。前記受信器は、前記第２の情報をＤＣＩ（ＤＣＩ）フォーマットタイプとして受信することができる。
【発明の効果】
【００１２】
本発明の一実施例によって、ＮＲ  ＳＲＳを送信するとき、ＵＬ全帯域サウンディング（ｓｏｕｎｄｉｎｇ）が要求される可能性がある場合、端末のリンクバジェット（ｌｉｎｋ  ｂｕｄｇｅｔ）などの限定によって、ＵＬ全帯域送信が不可な端末（ｅ.ｇ.  セルエッジ（ｃｅｌｌ−ｅｄｇｅ）端末）が副帯域サウンディング（ｓｕｂｂａｎｄ  ｓｏｕｎｄｉｎｇ）を多重シンボル又は多重スロットにホッピングしながらＵＬ全帯域サウンディングを行うことができる。
【００１３】
本発明で得られる効果は以上に言及した効果に制限されず、言及しなかった他の効果は下記の記載から本発明が属する当該技術分野における当業者に明確に理解されるであろう。
【図面の簡単な説明】
【００１４】
本発明に関する理解を助けるために詳細な説明の一部として含まれる添付の図面は、本発明に関する実施例を提供し、詳細な説明と共に本発明の技術的思想を説明する。
【図１】無線通信システム１００における基地局１０５及び端末１１０の構成を示したブロック図である。
【図２ａ】ＴＸＲＵ  ｖｉｒｔｕａｌｉｚａｔｉｏｎ  ｍｏｄｅｌ  ｏｐｔｉｏｎ  １（ｓｕｂ−ａｒｒａｙ  ｍｏｄｅｌ）を示した図である。
【図２ｂ】ＴＸＲＵ  ｖｉｒｔｕａｌｉｚａｔｉｏｎ  ｍｏｄｅｌ  ｏｐｔｉｏｎ  ２（ｆｕｌｌ  ｃｏｎｎｅｃｔｉｏｎ  ｍｏｄｅｌ）を示した図である。
【図３】ハイブリッドビームフォーミングのためのブロック図である。
【図４】ハイブリッドビームフォーミングにおいてＢＲＳシンボルにマッピングされたビームの例を示した図である。
【図５】異なるニューマロロジー（ｎｕｍｅｒｏｌｏｇｙ）間のシンボル／サブ−シンボル整列（ａｌｉｇｎｍｅｎｔ）を示す例示的な図である。
【図６】２６−ｌｅｎｇｔｈ  Ｇｏｌａｙ  Ｃｏｍｐｌｅｍｅｎｔａｒｙ  Ｓｅｑｕｅｎｃｅ  ｐａｉｒの２つを用いた５２−長さの自己相関（ａｕｔｏｃｏｒｒｅｌａｔｉｏｎ）の性能を示した図である。
【図７】長さ５２のＧｏｌａｙシーケンスにおいて互いに異なるＣＳを有するシーケンス間の交差相関（ｃｒｏｓｓ−ｃｏｒｒｅｌａｔｉｏｎ）を示した図である。
【図８】ＺＣ、Ｇｏｌａｙ、ＰＮシーケンスの交差相関（Ｃｒｏｓｓ−ｃｏｒｒｅｌａｔｉｏｎ）とキュービックメトリック（ｃｕｂｉｃ−ｍｅｔｒｉｃ）評価（ｅｖａｌｕａｔｉｏｎ）を示した図である。
【図９】ＬＴＥホッピングパターンを例示した図である（ｎｓ＝１−−＞ｎｓ＝４）。
【図１０】上りリンクビーム管理用マルチシンボルＳＲＳトリガリングを例示した図である。
【図１１】ホッピングパターン
【００１５】
0006864095.tif 000002
によるＳＲＳシーケンス生成パラメータの組み合わせ
【００１６】
0006864095.tif 000003
を例示した図である。
【図１２】ホッピングにおける端末間衝突（ｃｏｌｌｉｓｉｏｎ）の発生を例示した図である。
【図１３】シンボルレベルホッピングパラメータはＲＲＣシグナリングで送信され、スロットレベルホッピングパラメータはＤＣＩシグナリングで送信される場合を例示した図である。
【図１４】基地局がシンボルレベルホッピングパラメータをＤＣＩシグナリングで送信して、スロットレベルホッピングパラメータはＲＲＣシグナリングで送信する場合を例示した図である。
【図１５】提案２−１−２に従って、基地局がシンボルレベルホッピングパラメータをＲＲＣシグナリングで送信して、スロットレベルホッピングパラメータはＤＣＩで送信する場合を例示した図である。
【図１６】提案２−１−３によるシンボルレベルホッピング設定のためのパラメータ及びスロットレベルホッピング設定のためのパラメータをＲＲＣシグナリングで送信することを例示した図である。
【図１７】ホッピング周期ごとに異なるシンボルレベルホッピングパターンを適用することを例示した図である。
【図１８】非周期的ＳＲＳ送信時、同一のシンボルレベルホッピングパターンを適用することを例示した図である。
【図１９】非周期的ＳＲＳ送信時、異なるシンボルレベルホッピングパターンを適用することを例示した図である。
【図２０】非周期的ＳＲＳ送信時、異なるシンボルレベルホッピングパターンを適用することを例示（部分帯域にわたったホッピング）した図である。
【図２１】非周期的ＳＲＳ送信時、異なるシンボルレベルホッピングパターンを適用することを例示（特定の副帯域にわたったホッピング）した図である。
【図２２】非周期的ＳＲＳ送信時、ホッピングパラメータセットを用いた要請フィールド送信によるＳＲＳ送信を例示した図である。
【図２３】Ｔｒｉｇｇｅｒｉｎｇ  ｃｏｕｎｔｅｒ  Ｎ＝３であるとき、ホッピングを例示した図である。
【図２４】反復数を２（Ｒｅｐｅｔｉｔｉｏｎ  ｒ＝２）に設定したときのシンボルレベルホッピングを例示した図である。
【図２５】ＳＲＳのシンボル数によるホッピングパターンを例示した図である。
【図２６】ＳＲＳのシンボル数によるホッピングパターン（ＳＲＳスロット内のＳＲＳのシンボル数がシンボルホッピング周期よりも小さい場合）を例示した図である。
【図２７】以下のｃａｓｅ  １−１に関する説明を例示した図である。
【図２８】以下のｃａｓｅ  １−２に関する説明を例示した図である。
【図２９】以下のｃａｓｅ  ２に関する説明を例示した図である。
【図３０】以下のｃａｓｅ  ３に関する説明を例示した図である。
【図３１】周期的／非周期的ＳＲＳ送信時、固定されたＳＲＳリソース位置の設定を例示した図である。
【図３２】周期的／非周期的トリガリング時、部分帯域間のホッピング設定を例示した図である。
【図３３】周期的／非周期的ＳＲＳトリガリング時、部分帯域間のホッピング設定を例示した図である。
【図３４】周期的／非周期的ＳＲＳトリガリング時、ＳＲＳリソースの位置を変更する例示を示した図（部分帯域は固定）である。
【図３５】周期的／非周期的ＳＲＳトリガリング時、ＳＲＳリソースの位置を可変する例示（部分帯域の位置可変）を示した図である。
【図３６】Ｎａｒｒｏｗ  ｂａｎｄ  ＲＦ  ｃａｐａｂｉｌｉｔｙを有する端末のＲＦ  ｒｅ−ｔｕｎｉｎｇを考慮したシンボルレベルホッピングパターンを例示した図である。
【発明を実施するための形態】
【００１７】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。 例えば、以下の詳細な説明が、移動通信システムが３ＧＰＰ ＬＴＥ、ＬＴＥ−Ａシステム、５Ｇシステムである場合を仮定して具体的に説明されたが、３ＧＰＰ  ＬＴＥ、ＬＴＥ−Ａ特有の事項以外は、他の任意の移動通信システムにも適用可能である。
【００１８】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００１９】
さらに、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）など移動又は固定型のユーザ端機器を総称することを仮定する。また、基地局は、Ｎｏｄｅ  Ｂ、ｅＮｏｄｅ  Ｂ、Ｂａｓｅ  Ｓｔａｔｉｏｎ、ＡＰ（Ａｃｃｅｓｓ  Ｐｏｉｎｔ）、ｇＮｏｄｅ  Ｂなど端末と通信するネットワーク端の任意のノードを総称することを仮定する。
【００２０】
移動通信システムにおいて、端末（Ｕｓｅｒ  Ｅｑｕｉｐｍｅｎｔ）は、基地局から下りリンク（Ｄｏｗｎｌｉｎｋ）を介して情報を受信することができ、また端末は、上りリンク（Ｕｐｌｉｎｋ）を介して情報を送信することができる。端末が送信又は受信する情報には、データ及び様々な制御情報があり、端末が送信又は受信する情報の種類用途に応じて様々な物理チャネルが存在する。
【００２１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２２】
また、以下の説明で使う特定の用語は本発明の理解を助けるために提供するもので、このような特定の用語の使用は本発明の技術的思想を逸脱しない範疇内で他の形態に変更可能である。
【００２３】
図１は、無線通信システム１００における基地局１０５及び端末１１０の構成を示すブロック図である。
【００２４】
無線通信システム１００を簡略に示すために、１つの基地局１０５と１つの端末１１０（Ｄ２Ｄ端末を含む）を示したが、無線通信システム１００は１つ以上の基地局及び／又は１つ以上の端末を含むことができる。
【００２５】
図１を参照すると、基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含むことができる。そして、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５及び受信データプロセッサ１５０を含むことができる。送受信アンテナ１３０、１３５はそれぞれ基地局１０５及び端末１１０に１つとして示されているが、基地局１０５及び端末１１０は複数の送受信アンテナを備えている。よって、本発明による基地局１０５及び端末１１０はＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明による基地局１０５はＳＵ−ＭＩＭＯ（Ｓｉｎｇｌｅ  Ｕｓｅｒ−ＭＩＭＯ）ＭＵ−ＭＩＭＯ（Ｍｕｌｔｉ  Ｕｓｅｒ−ＭＩＭＯ）方式をいずれも支援することができる。
【００２６】
下りリンク上で、送信データプロセッサ１１５はトラフィックデータを受信し、受信したトラフィックデータをフォーマットしてコードし、コードされたトラフィックデータをインターリーブして変調し（又はシンボルマッピングし）、変調シンボル（「データシンボル」）を提供する。シンボル変調器１２０はこのデータシンボルとパイロットシンボルを受信及び処理してシンボルのストリームを提供する。
【００２７】
シンボル変調器１２０は、データ及びパイロットシンボルを多重化し、これを送信器１２５に送信する。ここで、それぞれの送信シンボルはデータシンボル、パイロットシンボル又はゼロの信号値であり得る。それぞれのシンボル周期で、パイロットシンボルが連続的に送信されることもできる。パイロットシンボルは周波数分割多重化（ＦＤＭ）、直交周波数分割多重化（ＯＦＤＭ）、時分割多重化（ＴＤＭ）又はコード分割多重化（ＣＤＭ）シンボルであり得る。
【００２８】
送信器１２５はシンボルのストリームを受信し、これを１つ以上のアナログ信号に変換し、さらにこのアナログ信号を追加的に調節して（例えば、増幅、フィルタリング及び周波数アップカンバーティング（ｕｐｃｏｎｖｅｒｔｉｎｇ）して）、無線チャネルを介した送信に適した下りリンク信号を発生させる。すると、送信アンテナ１３０は発生した下りリンク信号を端末に送信する。
【００２９】
端末１１０の構成において、受信アンテナ１３５は基地局からの下りリンク信号を受信し、受信された信号を受信器１４０に提供する。受信器１４０は受信された信号を調整し（例えば、フィルタリング、増幅、及び周波数ダウンカンバーティング（ｄｏｗｎｃｏｎｖｅｒｔｉｎｇ））、調整された信号をデジタル化してサンプルを獲得する。シンボル復調器１４５は受信されたパイロットシンボルを復調し、チャネル推定のためにこれをプロセッサ１５５に提供する。
【００３０】
また、シンボル復調器１４５はプロセッサ１５５から下りリンクに対する周波数応答推定値を受信し、受信されたデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０はデータシンボル推定値を復調（すなわち、シンボルデマッピング（ｄｅｍａｐｐｉｎｇ））し、デインターリーブ（ｄｅｉｎｔｅｒｌｅａｖｉｎｇ）し、デコードして、送信されたトラフィックデータをリカバリーする。
【００３１】
シンボル復調器１４５及び受信データプロセッサ１５０による処理はそれぞれ基地局１０５でのシンボル変調器１２０及び送信データプロセッサ１１５による処理に対して相補的である。
【００３２】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。端末及び基地局における送信器及び受信器は、１つのＲＦ（Ｒａｄｉｏ  Ｆｒｅｑｕｅｎｃｙ）ユニットで構成される。
【００３３】
基地局１０５で、端末１１０から上りリンク信号が受信アンテナ１３０を介して受信され、受信器１９０は受信した上りリンク信号を処理してサンプルを取得する。ついで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータをリカバリーする。
【００３４】
端末１１０及び基地局１０５のそれぞれのプロセッサ１５５、１８０はそれぞれ端末１１０及び基地局１０５での動作を指示（例えば、制御、調整、管理など）する。それぞれのプロセッサ１５５、１８０はプログラムコード及びデータを保存するメモリユニット１６０、１８５と接続されることができる。メモリ１６０、１８５はプロセッサ１８０に接続され、オペレーティングシステム、アプリケーション、及び一般ファイル（ｇｅｎｅｒａｌ  ｆｉｌｅｓ）を保存する。
【００３５】
プロセッサ１５５、１８０はコントローラー（ｃｏｎｔｒｏｌｌｅｒ）、マイクロコントローラー（ｍｉｃｒｏｃｏｎｔｒｏｌｌｅｒ）、マイクロプロセッサ（ｍｉｃｒｏｐｒｏｃｅｓｓｏｒ）、マイクロコンピューター（ｍｉｃｒｏｃｏｍｐｕｔｅｒ）などとも呼ばれる。一方、プロセッサ１５５、１８０はハードウェア（ｈａｒｄｗａｒｅ）又はファームウエア（ｆｉｒｍｗａｒｅ）、ソフトウェア、又はこれらの組み合わせによって実現されることができる。ハードウェアを用いて本発明の実施例を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１５５、１８０に備えられてもよい。
【００３６】
一方、ファームウエア又はソフトウェアを用いて本発明の実施例を具現する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるか、メモリ１６０、１８５に保存されてプロセッサ１５５、１８０によって駆動されることができる。
【００３７】
端末と基地局の無線通信システム（ネットワーク）間の無線インターフェースプロトコルのレイヤーは通信システムでよく知られたＯＳＩ（ｏｐｅｎ  ｓｙｓｔｅｍ  ｉｎｔｅｒｃｏｎｎｅｃｔｉｏｎ）モデルの下位３個レイヤーに基づいて、第１のレイヤーＬ１、第２のレイヤーＬ２及び第３のレイヤーＬ３に分類されることができる。物理レイヤーは前記第１のレイヤーに属し、物理チャネルを介して情報送信サービスを提供する。ＲＲＣ（Ｒａｄｉｏ  Ｒｅｓｏｕｒｃｅ  Ｃｏｎｔｒｏｌ）レイヤーは前記第３のレイヤーに属し、ＵＥとネットワーク間の制御無線リソースを提供する。端末、基地局は無線通信ネットワークとＲＲＣレイヤーを介してＲＲＣメッセージを交換することができる。
【００３８】
本明細書において、端末のプロセッサ１５５と基地局のプロセッサ１８０とは、それぞれ端末１１０及び基地局１０５が信号を受信又は送信する機能及び格納の機能などを除いて、信号及びデータを処理する動作を行うが、説明の便宜のために、以下では特にプロセッサ１５５，１８０を言及しない。特にプロセッサ１５５，１８０を言及しなくても、信号を受信又は送信する機能ではないデータ処理などの一連の動作を行うといえる。
【００３９】
まず、３ＧＰＰ  ＬＴＥ／ＬＴＥ−ＡシステムにおけるＳＲＳ送信に関する内容を以下の表１において説明する。
【００４０】
【表１】
0006864095.tif 000004
【００４１】
以下の表２は、３ＧＰＰ  ＬＴＥ／ＬＴＥ−ＡシステムにおいてＤＣＩフォーマット４におけるトリガタイプ１のためのＳＲＳ  Ｒｅｑｕｅｓｔ  Ｖａｌｕｅを示した表である。
【００４２】
【表２】
0006864095.tif 000005
【００４３】
以下の表３は、３ＧＰＰ  ＬＴＥ／ＬＴＥ−ＡシステムにおけるＳＲＳ送信に関する追加内容をさらに説明するための表である。
【００４４】
【表３−１】
0006864095.tif 000006
【００４５】
【表３−２】
0006864095.tif 000007
【００４６】
【表３−３】
0006864095.tif 000008
【００４７】
以下の表４は、ＦＤＤにおいてトリガタイプ０のためのサブフレームオフセット設定（Ｔｏｆｆｓｅｔ）及びＵＥ−ｓｐｅｃｉｆｉｃ  ＳＲＳ  ｐｅｒｉｏｄｉｃｉｔｙ（ＴＳＲＳ）を示した表である
【００４８】
【表４】
0006864095.tif 000009
【００４９】
以下の表５は、ＴＤＤにおいてトリガタイプ０のためのサブフレームオフセット設定（Ｔｏｆｆｓｅｔ）及びＵＥ−ｓｐｅｃｉｆｉｃ  ＳＲＳ  ｐｅｒｉｏｄｉｃｉｔｙ（ＴＳＲＳ）を示した表である。
【００５０】
【表５】
0006864095.tif 000010
【００５１】
【表６】
0006864095.tif 000011
【００５２】
表７は、ＴＤＤのためのｋＳＲＳを示した表である。
【００５３】
【表７】
0006864095.tif 000012
【００５４】
以下の表８は、ＦＤＤにおいてトリガタイプ１のためのサブフレームオフセット設定（Ｔｏｆｆｓｅｔ,１）及びＵＥ−ｓｐｅｃｉｆｉｃ  ＳＲＳ  ｐｅｒｉｏｄｉｃｉｔｙ（ＴＳＲＳ,１）を示した表である。
【００５５】
【表８】
0006864095.tif 000013
【００５６】
以下の表９は、ＴＤＤにおいてトリガタイプ１のためのサブフレームオフセット設定（Ｔｏｆｆｓｅｔ,１）及びＵＥ−ｓｐｅｃｉｆｉｃ  ＳＲＳ  ｐｅｒｉｏｄｉｃｉｔｙ（ＴＳＲＳ, １）を示した表である。
【００５７】
【表９】
0006864095.tif 000014
【００５８】
アナログビームフォーミング（Ａｎａｌｏｇ  Ｂｅａｍｆｏｒｍｉｎｇ）
【００５９】
Ｍｉｌｌｉｍｅｔｅｒ  Ｗａｖｅ（ｍｍＷ）では波長が短くなるため、同一面積に多数のアンテナ要素の設置が可能である。すなわち、３０ＧＨｚ帯域において波長は１ｃｍであって、４  ｂｙ  ４ｃｍのパネル（ｐａｎｅｌ）に０．５ｌａｍｂｄａ（波長）間隔で２−ｄｉｍｅｎｓｉｏｎ配列である全６４（８×８）のアンテナ要素を設けることができる。これにより、ｍｍＷでは、多数のアンテナ要素を使用してビームフォーミング（ＢＦ）利得を高めてカバレッジを増加させたり、或いはスループット（ｔｈｒｏｕｇｈｐｕｔ）を増加させたりすることができる。このとき、アンテナ要素別に送信パワー及び位相の調節ができるように、ＴＸＲＵ（Ｔｒａｎｓｃｅｉｖｅｒ  Ｕｎｉｔ）を備えると、周波数リソース別に独立したビームフォーミングが可能である。しかし、１００余個の全てのアンテナ要素にＴＸＲＵを設けることは費用面で実効性に乏しい問題がある。従って、１つのＴＸＲＵに多数のアンテナ要素をマッピング（ｍａｐｐｉｎｇ）し、アナログ位相シフター（ａｎａｌｏｇ  ｐｈａｓｅ  ｓｈｉｆｔｅｒ）でビーム方向を調節する方式が考えられている。かかるアナログビームフォーミング方式では全帯域において１つのビーム方向のみが形成できるので、周波数選択的なビームフォーミングができないというデメリットがある。デジタルビームフォーミング（Ｄｉｇｉｔａｌ  ＢＦ）とアナログビームフォーミング（Ａｎａｌｏｇ  ＢＦ）の中間形態として、Ｑ個のアンテナ要素より少ない数のＢ個のＴＸＲＵを有するハイブリッドビームフォーミング（Ｈｙｂｒｉｄ  ＢＦ）が考えられる。この場合、Ｂ個のＴＸＲＵとＱ個のアンテナ要素の接続方式によって差はあるが、同時に送信可能なビームの方向はＢ個以下に制限される。
【００６０】
図２ａは、ＴＸＲＵ  ｖｉｒｔｕａｌｉｚａｔｉｏｎ  ｍｏｄｅｌ  ｏｐｔｉｏｎ  １（ｓｕｂ−ａｒｒａｙ  ｍｏｄｅｌ）を示した図であり、図２ｂは、ＴＸＲＵ  ｖｉｒｔｕａｌｉｚａｔｉｏｎ  ｍｏｄｅｌ  ｏｐｔｉｏｎ  ２（ｆｕｌｌ  ｃｏｎｎｅｃｔｉｏｎ  ｍｏｄｅｌ）を示した図である。
【００６１】
図２ａ及び図２ｂは、ＴＸＲＵとアンテナ要素との接続方式の代表的な一例を示す。ここで、ＴＸＲＵ  ｖｉｒｔｕａｌｉｚａｔｉｏｎモデルは、ＴＸＲＵの出力信号と、アンテナ要素の出力信号の関係を示す。図２ａは、ＴＸＲＵがサブアレイ（ｓｕｂ−ａｒｒａｙ）に接続された方式を示す。この場合、アンテナ要素は１つのＴＸＲＵにのみ接続される。これとは異なり、図２ｂは、ＴＸＲＵが全てのアンテナ要素に接続された方式を示す。この場合、アンテナ要素は全てのＴＸＲＵに接続される。図２ａ及び図２ｂにおいて、Ｗはアナログ位相シフターにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−ｍａｎｙである。
【００６２】
ハイブリッドビームフォーミング（Ｈｙｂｒｉｄ  Ｂｅａｍｆｏｒｍｉｎｇ）
【００６３】
図３は、ハイブリッドビームフォーミングのためのブロック図を示した図である。
【００６４】
Ｎｅｗ  ＲＡＴシステムでは、複数のアンテナが使用される場合、デジタルビームフォーミングとアナログビームフォーミングとを組み合わせたハイブリッドビームフォーミング方式を適用することができる。このとき、アナログビームフォーミング（又は、ＲＦビームフォーミング）は、ＲＦ端においてプリコーディング（Ｐｒｅｃｏｄｉｎｇ）（又は、コンバイニング（Ｃｏｍｂｉｎｉｎｇ））を実行する動作を意味する。このようなハイブリッドビームフォーミング方式において、ベースバンド（Ｂａｓｅｂａｎｄ）端とＲＦ端はそれぞれプリコーディング（Ｐｒｅｃｏｄｉｎｇ）（又は、コンバイニング（Ｃｏｍｂｉｎｉｎｇ））を行うことで、ＲＦ  ｃｈａｉｎ数とＤ／Ａ（又は、Ａ／Ｄ）ｃｏｎｖｅｒｔｅｒ数を減らしながらも、デジタルビームフォーミングに近づく性能が出せるというメリットを有する。説明の便宜のために、図４に示したように、上述したハイブリッドビームフォーミング構造は、Ｎ個のＴｒａｎｓｃｅｉｖｅｒ  ｕｎｉｔ（ＴＸＲＵ）とＭ個の物理アンテナで表現される。このとき、送信側から送信するＬ個のデータ階層（Ｄａｔａ  ｌａｙｅｒ）に対するデジタルビームフォーミングはＮ  ｂｙ  Ｌ行列で表現されることができ、この後、変換されたＮ個のデジタル信号はＴＸＲＵを経てアナログ信号に変換された後、Ｍ  ｂｙ  Ｎ行列で表現されるアナログビームフォーミングが適用される。
【００６５】
図３は、上述したＴＸＲＵ及び物理アンテナの観点におけるハイブリッドビームフォーミングの構造を簡単に示す図である。このとき、図３においてデジタルビーム数はＬ個であり、アナログビーム数はＮ個である。さらに、Ｎｅｗ  ＲＡＴシステムでは、基地局がアナログビームフォーミングをシンボル単位に変更できるように設計して、特定の地域に位置した端末にさらに効率的なビームフォーミングを支援する方法を考慮している。また、図３のように、特定のＮ個のＴＸＲＵとＭ個のＲＦアンテナを１つのアンテナパネル（ｐａｎｅｌ）と定義するとき、Ｎｅｗ  ＲＡＴシステムでは、互いに独立したハイブリッドビームフォーミングが適用可能な複数のアンテナパネルを導入する方案まで考慮している。
【００６６】
基地局が複数のアナログビームを活用する場合、各々の端末において信号受信に有利なアナログビームが異なり得るため、基地局は、少なくとも同期信号（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、ページング（Ｐａｇｉｎｇ）などに対しては、特定のサブフレーム（ＳＦ）において基地局が適用する複数のアナログビームをシンボルごとに変更することで、全ての端末が受信機会を得るようにするビームスイーピング動作を考慮してもよい。
【００６７】
図４は、ハイブリッドビームフォーミングにおいて、ＢＲＳシンボルにマッピングされたビームの例を示した図である。
【００６８】
図４は、下りリンク（ＤＬ）送信過程において、同期信号とシステム情報について上述したビームスイーピング動作を図式化して示している。図４において、Ｎｅｗ  ＲＡＴシステムのシステム情報がブロードキャスティング方式で送信される物理的リソース(又は物理チャネル)を、ｘＰＢＣＨ(ｐｈｙｓｉｃａｌ  ｂｒｏａｄｃａｓｔ  ｃｈａｎｎｅｌ)と称する。この時、１つのシンボル内で互いに異なるアンテナパネルに属する複数のアナログビームは同時に送信可能であり、アナログビームごとのチャネルを測定するために、図４に示したように、（特定のアンテナパネルに対応する)単一のアナログビームが適用されて送信される参照信号(Ｒｅｆｅｒｅｎｃｅ  ｓｉｇｎａｌ；ＲＳ)であるビーム参照信号(Ｂｅａｍ  ＲＳ；ＢＲＳ)の導入が論議されている。ＢＲＳは複数のアンテナポートに対して定義され、ＢＲＳの各々のアンテナポートは単一のアナログビームに対応する。図５では、ビームを測定するためのＲＳ（Ｒｅｆｅｒｅｎｃｅ  Ｓｉｇｎａｌ）をＢＲＳと称したが、他の名称で称してもよい。このとき、ＢＲＳとは異なり、同期信号又はｘＰＢＣＨは、任意の端末がよく受信するようにアナログビームのグループ内の全てのアナログビームが適用されて送信される。
【００６９】
図５は、異なるニューマロロジー（ｎｕｍｅｒｏｌｏｇｙ）間のシンボル／サブ−シンボル整列（ａｌｉｇｎｍｅｎｔ）を示した例示的な図である。
【００７０】
Ｎｅｗ  ＲＡＴ（ＮＲ）Ｎｕｍｅｒｏｌｏｇｙ特徴
【００７１】
ＮＲでは、Ｓｃａｌａｂｌｅ  Ｎｕｍｅｒｏｌｏｇｙを支援する方式を考慮している。すなわち、ＮＲのサブキャリア間隔（ｓｕｂｃａｒｒｉｅｒ  ｓｐａｃｉｎｇ）は、（２ｎ×１５）ｋＨｚ、ｎは整数で示して、ｎｅｓｔｅｄ観点においてｓｕｂｓｅｔ又はｓｕｐｅｒｓｅｔ（少なくとも１５、３０、６０、１２０、２４０及び４８０ｋＨｚ）が主なサブキャリア間隔として考慮されている。これにより、同一のＣＰオーバーヘッド比率を有するように調節することで、異なるニューマロロジー間のシンボル又はサブ−シンボル整列を支援するように設定される。また、各々のサービス（ｅＭＭＢ、ＵＲＬＬＣ、ｍＭＴＣ）とシナリオ（ｈｉｇｈ  ｓｐｅｅｄなど）によって時間／周波数細分性（ｇｒａｎｕｌａｒｉｔｙ）が動的に割り当てられる構造でニューマロロジーが決定される。
【００７２】
直交化のための帯域幅依存／非依存シーケンス（Ｂａｎｄｗｉｄｔｈ  ｄｅｐｅｎｄｅｎｔ／ｎｏｎ−ｄｅｐｅｎｄｅｎｔ  ｓｅｑｕｅｎｃｅ  ｆｏｒ  ｏｒｔｈｏｇｏｎａｌｉｚａｔｉｏｎ）
【００７３】
ＬＴＥシステムでは、サウンディング帯域幅（ｓｏｕｎｄｉｎｇ  ｂａｎｄｗｉｄｔｈ）によってＳＲＳ設計が異なる。すなわち、長さ２４以下のシーケンスを設計する場合、ｃｏｍｐｕｔｅｒ  ｇｅｎｅｒａｔｅｄシーケンスを使用して、３６（３ＲＢ）以上である場合、Ｚａｄｏｆｆ−Ｃｈｕ（ＺＣ）シーケンスを使用する。ＺＣシーケンスの最大のメリットは、ｌｏｗ  ＰＡＰＲ又はｌｏｗ  Ｃｕｂｉｃ  Ｍｅｔｒｉｃを示して、且つ理想的な自己相関（ａｕｔｏｃｏｒｒｅｌａｔｉｏｎ）と低い交差相関（ｃｒｏｓｓ−ｃｏｒｒｅｌａｔｉｏｎ）の性質を有することである。しかし、このような性質を満たすためには、必要なシーケンスの長さ（サウンディング帯域幅を示す）が同一である必要がある。よって、異なるサウンディング帯域幅を有する端末を支援するためには、異なるリソース領域に割り当てる方法が必要であり、チャネル推定性能の劣化が最小化できるように、ＩＦＤＭＡ  ｃｏｍｂ構造が互いに異なるサウンディング帯域幅を持たせることで、同時送信する端末の直交性を支援する。仮に、小さいサウンディング帯域幅を有する端末に、このようなｔｒａｎｓｍｉｓｓｉｏｎ  ｃｏｍｂ（ＴＣ）構造を使用する場合、直交性を有する最小限のシーケンス長さ（一般に、長さ２４で示す）よりも小さいシーケンス長さを有することもあり、ＴＣは２に限定される。同一のサウンディングリソースに同一ＴＣを持たせる場合、直交性を提供する次元（ｄｉｍｅｎｓｉｏｎ）が必要であり、これが循環シフト（Ｃｙｃｌｉｃ  Ｓｈｉｆｔ）を用いたＣＤＭを利用することである。
【００７４】
一方、ＰＡＰＲとｃｏｒｒｅｌａｔｉｏｎ性能がＺＣ系列シーケンスに比べて少し落ちる場合があるが、サウンディング帯域幅には関係なく、リソースマッピングが可能なシーケンスがある。その例として、ＧｏｌａｙシーケンスとＰＮ（Ｐｓｅｕｄｏ  ｒａｎｄｏｍ）シーケンスがある。Ｇｏｌａｙシーケンスの場合、あるシーケンスａ、ｂの各々の自己相関値をＡａ、Ａｂとするとき、この２つの自己相関値の和が以下の条件を満すａ、ｂをＧｏｌａｙ  ｃｏｍｐｌｅｍｅｎｔａｒｙシーケンスペア（ｐａｉｒ）と呼ぶ（Ａａ＋Ａｂ＝δ（ｘ））。
【００７５】
一例として、長さ２６のＧｏｌａｙシーケンスａ、ｂが以下のようであるとき、ａ＝［１  −１  １  １  −１  −１  １  −１  −１  −１  −１  １  −１  １  −１  −１  −１  −１  １  １  −１  −１  −１  １  −１  １］、ｂ＝［−１  １  −１  −１  １  １  −１  １  １  １  １  −１  −１  −１  −１  −１  −１  −１  １  １  −１  −１  −１  １  −１  １］、この２つを連接して全５２長さのシーケンスで構成して、両側の４個のＲＥ（Ｒｅｓｏｕｒｃｅ  Ｅｌｅｍｅｎｔ）に０をマッピングするとき、自己相関性能は、図７のように示すことができる。図６は、２６−ｌｅｎｇｔｈ  Ｇｏｌａｙ  Ｃｏｍｐｌｅｍｅｎｔａｒｙ  Ｓｅｑｕｅｎｃｅ  ｐａｉｒの２つを用いた５２−長さ自己相関の性能を示した図である。
【００７６】
図７は、長さ５２のＧｏｌａｙシーケンスにおいて互いに異なるＣＳを有するシーケンス間の交差相関（ｃｒｏｓｓ−ｃｏｒｒｅｌａｔｉｏｎ）を示した図である。
【００７７】
長さ５２で構成したシーケンスに複数のＣＳ（Ｃｙｃｌｉｃ  Ｓｈｉｆｔ）を適用して、複数のＧｏｌａｙシーケンスを生成することができる。互いに異なるＣＳを有するＧｏｌａｙシーケンス間の交差相関は、図８のようである。
【００７８】
図８は、ＺＣ、Ｇｏｌａｙ、ＰＮシーケンスの交差相関（Ｃｒｏｓｓ−ｃｏｒｒｅｌａｔｉｏｎ）とキュービックメトリック（ｃｕｂｉｃ−ｍｅｔｒｉｃ）評価（ｅｖａｌｕａｔｉｏｎ）を示した図である。
【００７９】
ＺＣ、Ｇｏｌａｙ、ＰＮ間の関係を各々のＴＣが１、２、４である場合によるＣＭ（ｃｕｂｉｃ  ｍｅｔｒｉｃ）と交差相関を計算して比較する。評価のための仮定は、以下のようである。
【００８０】
−  サウンディング帯域幅（ｓｏｕｎｄｉｎｇ  ＢＷ）は、それぞれ４、８、１２、１６、２０、２４、３２、３６、４８ＲＢと定める。（ＬＴＥ  ＳＲＳ設計ベース）
【００８１】
−  ＬＴＥシステムのように３０  ｇｒｏｕｐｓ  ｎｕｍｂｅｒ  
0006864095.tif 000015
は以下のように決定して、
0006864095.tif 000016
はセルＩＤに基づいて決定する。このとき、４ＲＢでは１つのベースシーケンスｖを選択して、その他は２つのベースシーケンスナンバーｖを選択する。
【００８２】
−  Ｇｏｌａｙシーケンスの場合、８０２．１６ｍシステムにおける長さ２０４８のｔｒｕｎｃａｔｅｄ  ｂｉｎａｒｙ  Ｇｏｌａｙシーケンスを用いて、ＱＰＳＫ  ＰＮシーケンスをｉｎｄｅｐｅｎｄｅｎｔ帯域幅ＳＲＳ設計の例示とした。このとき、ＺＣシーケンスにおいて３０グループを示すために、Ｇｏｌａｙシーケンスは３０ＣＳを用いて生成して、ＰＮはＭａｔｌａｂベースで３０個のシーケンスを生成して使用する。
【００８３】
−  ＴＣ＝１，２及び４と評価した。
−  キュービックメトリック評価はより良いｒｅｓｏｌｕｔｉｏｎのために、ｏｖｅｒ  ｓａｍｐｌｉｎｇ  ｆａｃｔｏｒ（ＯＳＦ）を８と定める。
【００８４】
図８（ａ）において、交差相関性能はＺＣ＞Ｇｏｌａｙ＞ＰＮシーケンスの順であり、ＣＭ性能はＺＣ＞Ｇｏｌａｙ＞ＰＮの順である。ＵＬ送信のためのＳＲＳシーケンス生成の観点からＬＴＥシステムのようにＺＣ系列が良い性能のように見られるが、サウンディング帯域幅（ｓｏｕｎｄｉｎｇ帯域幅）の各端末の割り当ての自由度を高めるためには、Ｇｏｌａｙシーケンス又はＰＮシーケンスもＮｅｗ  ＲＡＴのＳＲＳシーケンスの候補として排除してはいけない。
【００８５】
ＬＴＥシステムにおけるＳＲＳホッピング（ｈｏｐｐｉｎｇ）特徴は、以下のようである。
【００８６】
−  周期的ＳＲＳトリガリング（ｔｒｉｇｇｅｒｉｎｇ  ｔｙｐｅ  ０）のときに限ってＳＲＳホッピング動作を行う。
【００８７】
−  ＳＲＳリソースの割り当ては、ｐｒｅｄｅｆｉｎｅｄ  ｈｏｐｐｉｎｇ  ｐａｔｔｅｒｎで提供される。
−  ホッピングパターン（Ｈｏｐｐｉｎｇ  ｐａｔｔｅｒｎ）は、端末−特定（ＵＥ  ｓｐｅｃｉｆｉｃ）にＲＲＣシグナリングで設定されることができる（但し、オーバーラッピング（ｏｖｅｒｌａｐｐｉｎｇ）は許容されない）。
−  セル／端末−特定にＳＲＳが送信されるサブフレームごとにホッピングパターンを用いてＳＲＳが周波数ホッピングされて送信されることができる。
−  ＳＲＳ周波数ドメインの開始位置及びホッピング公式は、以下の数式１より解釈される。
【００８８】
【数１】
0006864095.tif 000017
【００８９】
ここで、ｎＳＲＳは時間ドメインにおいてホッピング進行間隔を示し、Ｎｂはｔｒｅｅ  ｌｅｖｅｌ  ｂに割り当てられたｂｒａｎｃｈｅｓ数、ｂはｄｅｄｉｃａｔｅｄ  ＲＲＣにおいてＢＳＲＳ設定で決定されることができる。
【００９０】
図９は、ＬＴＥホッピングパターンを例示した図である（ｎｓ＝１――＞ｎｓ＝４）。
【００９１】
ＬＴＥホッピングパターン設定の例示を説明する。
【００９２】
セル−特定ＲＲＣシグナリングでＬＴＥホッピングパターンパラメータを設定することができるが、一例として
0006864095.tif 000018
のように設定される。次に、端末−特定ＲＲＣシグナリングでＬＴＥホッピングパターンパラメータを設定することができるが、一例として
0006864095.tif 000019
のように設定される。
【００９３】
以下の表１０は、ＮＲにおけるＳＲＳ送信リソースに関する承認（ａｇｒｅｅｍｅｎｔ）事項を示した表である。
【００９４】
【表１０】
0006864095.tif 000020
【００９５】
３ＧＰＰ  ＲＡＮ１  ８８  ｂｉｚで設定される多重ＳＲＳシンボルにおいてＳＲＳ周波数ホッピングが支援されなければならず、ＳＲＳが設定されたスロット間における周波数ホッピングが支援されなければならないことが承認される。１つの多重シンボルＳＲＳがトリガリングされるときには、あるＳＲＳリソースがホッピングしながら、全帯域上りリンクリソース割り当てのためのＳＲＳ設定が必要であり得る。また、上りリンクビーム管理（ＵＬ  Ｂｅａｍ  ｍａｎａｇｅｍｅｎｔ）においても必要となり得るが、一例として、ＮＲ端末が上りリンクビーム管理のために多重ＳＲＳがトリガリングされたとき、端末の同一Ｔｘ  ｐｒｅｃｏｄｉｎｇを用いて、ｓｕｂｂａｎｄ  ｗｉｓｅ上りリンクビーム管理を行う必要があり得る。
【００９６】
図１０は、上りリンクビーム管理用多重シンボルＳＲＳトリガリングを例示した図である。
【００９７】
図１０を参照すると、１つのシンボルに上りリンクＳＲＳ帯域幅が設定されてもよいが、上りリンクビーム管理などのために、多重シンボルのＳＲＳがトリガリング及び設定されてもよい。多重シンボルのＳＲＳがトリガリングされて、各々のシンボルにおいてホッピングされるＳＲＳリソース（又は、ＳＲＳ送信リソース）に同一Ｔｘ  ｐｒｅｃｏｄｉｎｇが行われるとき、端末は、各ＳＲＳシンボル当たりより多い送信パワー（Ｔｘ  ｐｏｗｅｒ）を提供することができる。基地局は、各シンボルごとにＳＲＳリソースを検出した後、シンボル指示（ｓｙｍｂｏｌ  ｉｎｄｉｃａｔｉｏｎ）によって副帯域を選択することができる。
【００９８】
提案１
【００９９】
基地局は、周波数ホッピングが行われるＳＲＳリソースのためのＳＲＳシーケンス生成パラメータの組み合わせ（例えば、ＴＣ（Ｔｒａｎｓｍｉｓｓｉｏｎ  Ｃｏｍｂ）、ＴＣ  ｏｆｆｓｅｔ、ＣＳ（Ｃｙｃｌｉｃ  Ｓｈｉｆｔ）、ｒｏｏｔ）のうち全部又は一部を（周波数）ホッピングパターンに連動して変化するように設定して、端末に設定された情報を送信したり、変更したいＳＲＳシーケンス生成パラメータ値の変更された値を端末に送信したりすることができる。
【０１００】
提案１−１
【０１０１】
提案１の具体的な提案として、提案１−１は、割り当てられたＳＲＳリソースに設定されたＳＲＳシーケンス生成パラメータ（例えば、ＴＣ、ＴＣ  ｏｆｆｓｅｔ、ＣＳ、ｒｏｏｔなど）は、周波数ホッピングがイネーブル（ｅｎａｂｌｅ）される場合、周波数ホッピングパターンによって異なるように適用可能であることを提案する。さらに、動的なＵＬ（Ｕｐｌｉｎｋ）ＤＣＩ（Ｄｏｗｎｌｉｎｋ  Ｃｏｎｔｒｏｌ  Ｉｎｆｏｒｍａｔｉｏｎ）オーバーヘッドの増加なく周波数ホッピングによってＳＲＳシーケンス生成パラメータを変更することで、基地局は特定の周波数ホッピングパターンが端末によく行われるか否かをＳＲＳ検出してから判断することができる。
【０１０２】
図１１は、ホッピングパターン
0006864095.tif 000021
によるＳＲＳシーケンス生成パラメータの組み合わせ
0006864095.tif 000022
を例示した図である。
【０１０３】
図１１を参照すると、ＵＥ  Ａのホッピングパターン
0006864095.tif 000023
で設定されるとき（ここで、
0006864095.tif 000024
は設定されたＳＲＳシンボルインデックス、
0006864095.tif 000025
は設定されたＳＲＳスロットインデックス）、特定の
0006864095.tif 000026
、ｎｆ（ｎｆはフレームインデックス）に該当するＳＲＳシーケンス生成パラメータの組み合わせは
0006864095.tif 000027
で示すことができる。
【０１０４】
提案１−２
【０１０５】
基地局は、周波数ホッピング（例えば、ｉｎｔｒａ−ｓｌｏｔホッピング（又は、シンボルレベルホッピングとも呼ぶ）、ｉｎｔｒａ−ｓｌｏｔホッピング（又は、スロットレベルホッピングとも呼ぶ）がイネーブルされたＳＲＳリソースに設定されたＳＲＳシーケンス生成パラメータ（例えば、ＴＣ、ＴＣ  ｏｆｆｓｅｔ、ＣＳ、ｒｏｏｔなど）のうちＳＲＳシーケンス生成パラメータのサブセットはＬａｙｅｒ  ３のＲＲＣ（Ｒａｄｉｏ  Ｒｅｓｏｕｒｃｅ  Ｃｏｎｔｒｏｌ）シグナリングで送信して、割り当てられたＳＲＳリソースに設定されたその他のＳＲＳシーケンス生成パラメータのサブセットはｌａｙｅｒ  １のＤＣＩ（Ｄｏｗｎｌｉｎｋ  Ｃｏｎｔｒｏｌ  Ｉｎｆｏｒｍａｔｉｏｎ）（又は、ＤＣＩフォーマット）で送信する。ＳＲＳシーケンス生成パラメータのサブセットの構成は、以下のようである。
【０１０６】
−  基地局は、ＴＣ、ＴＣ  ｏｆｆｓｅｔ、ＣＳ値はｄｅｄｉｃａｔｅｄ  ＲＲＣシグナリングで端末に送信して、ｒｏｏｔ値はＤＣＩを介して端末に送信する。１つのＳＲＳ送信スロットに多重シンボルのＳＲＳ（又は、多重シンボルＳＲＳリソースなどとも呼ぶ）が設定されるときに、端末がｒｏｏｔ値を各シンボルごとに異なるように適用するために、基地局は、多重シンボルのＳＲＳ数だけのｒｏｏｔ値をＤＣＩで端末に送信するか、基地局は多重シンボルのＳＲＳのシーケンスのｒｏｏｔ値は同一に設定して、端末に１つのｒｏｏｔ値を送信することができる。
−  基地局は、ＴＣとＴＣ  ｏｆｆｓｅｔはｄｅｄｉｃａｔｅｄ  ＲＲＣシグナリングで送信、ＣＳとｒｏｏｔ値はＤＣＩで送信することができる。
−  基地局は、ＴＣ値のみをｄｅｄｉｃａｔｅｄ  ＲＲＣシグナリングで送信して、その他のサブセット（例えば、ＴＣ  ｏｆｆｓｅｔ、ＣＳ、ｒｏｏｔ）はＤＣＩで送信することができる。
−  基地局は、ＣＳ値のみをｄｅｄｉｃａｔｅｄ  ＲＲＣシグナリングで送信して、その他のサブセット（例えば、ＴＣ、ＴＣ  ｏｆｆｓｅｔ、ｒｏｏｔ）はＤＣＩで送信することができる。
−  基地局は、ｒｏｏｔ値のみをｄｅｄｉｃａｔｅｄ  ＲＲＣシグナリングで送信して、その他のサブセット（例えば、ＴＣ、ＴＣ  ｏｆｆｓｅｔ、ＣＳ）はＤＣＩで送信することができる。
−  基地局は、その他にもＴＣ、ＴＣ  ｏｆｆｓｅｔ、ＣＳ、ｒｏｏｔ値などの様々な組み合わせをＤＣＩ又はＲＲＣシグナリングで送信することができる。
【０１０７】
端末はホッピングによるＳＲＳシーケンス生成パラメータを様々な組み合わせでシーケンスを生成して、ＰＡＰＲ又はｌｏｗ  ｃｏｒｒｅｌａｔｉｏｎ特性を向上させることができる。但し、ＤＣＩ送信によってオーバーヘッドが増加する可能性がある。
【０１０８】
図１２は、ホッピングするときに端末間に衝突（ｃｏｌｌｉｓｉｏｎ）が発生することを例示した図である。
【０１０９】
−実施例として、１）ＳＲＳ送信スロット１において割り当たられるリソース内のシーケンスパラメータインデックスがＴＣ＝１、ＴＣ  ｏｆｆｓｅｔ＝０、ＣＳ＝５、ｒｏｏｔ＝１０であるとき、次のＳＲＳ送信スロット２において割り当てられるリソース内のシーケンスパラメータインデックスはＴＣ＝１、ＴＣ  ｏｆｆｓｅｔ＝０、ＣＳ＝８、ｒｏｏｔ＝１１に変更する。ＳＲＳ送信スロット２においてＣＳ＝８とｒｏｏｔ＝１１はＤＣＩを介して送信されるか、ホッピングパターンによって類推することができる。
【０１１０】
別の実施例として、ｔｒｕｎｃａｔｅｄ  ＺＣ  ＳＲＳシーケンスを用いるとき、ＳＲＳ送信スロット１において端末１（ＵＥ  １）と端末２（ＵＥ  ２）とに異なるリソースが割り当てられる。ところが、次のＳＲＳ送信スロット２においてＵＥ  １とＵＥ  ２が特定のＳＲＳシンボルインデックスでオーバーラップされ、ＵＥ  １のＣＳ＝３、ＵＥ  ２のＣＳ＝３を適用し、基地局はＵＥ  ２のＣＳ＝５に変更されて、ｌｏｗ−ｃｏｒｒｅｌａｔｉｏｎ特性を維持する。
【０１１１】
提案１−３
【０１１２】
周波数ホッピング（例えば、ｉｎｔｒａ−ｓｌｏｔホッピング、ｉｎｔｅｒ−ｓｌｏｔホッピングなど）がイネーブルされたＳＲＳリソースに設定するシーケンス生成パラメータ（例えば、ＴＣ、ＴＣ  ｏｆｆｓｅｔ、ＣＳ、ｒｏｏｔ）の組み合わせはＤＣＩシグナリングのオーバーヘッドを減らすために、基地局は端末に特定のセットをＲＲＣシグナリングで提供して、要請フィールドを含むＤＣＩを端末に送信して、端末はホッピングされるＳＲＳリソースに該当するシーケンス組み合わせに関する情報を取得することができる。一実施例として、以下の表１１は、基地局がＤＣＩで送信するシーケンス生成パラメータセットを例示する。
【０１１３】
【表１１】
0006864095.tif 000028
【０１１４】
端末はＳＲＳが割り当てられるリソース（例えば、スロット）においてシーケンス生成パラメータのための要請フィールド（ｒｅｑｕｅｓｔ  ｆｉｅｌｄ）が‘01’を指示することをＤＣＩを介して受信する場合、当該リソース（例えば、当該スロット）においてＳＲＳ送信のためのシーケンスを生成するとき、ＴＣ＝２、ＴＣ  ｏｆｆｓｅｔ＝１、ＣＳ＝８、ｒｏｏｔ＝１１としてシーケンスを生成することができる。ＳＲＳスロット内に多重ＳＲＳのシンボル数が２と割り当てられるとき、端末は基地局から要請フィールドを‘00’、‘10’と連続して受けることができる。この場合、端末は、１番目のＳＲＳシンボル内のＳＲＳシーケンスはＴＣ＝２、ＴＣ  ｏｆｆｓｅｔ＝０、ＣＳ＝４、ｒｏｏｔ＝１０を用いて生成して、２番目のＳＲＳシンボル内のシーケンスはＴＣ＝４、ＴＣ  ｏｆｆｓｅｔ＝０、ＣＳ＝１１、ｒｏｏｔ＝２を用いて生成することができる。また、要請フィールドが単一に‘ 10’を指示する場合、端末は２つのシンボルの両方においてＴＣ＝４、ＴＣ  ｏｆｆｓｅｔ＝０、ＣＳ＝１１、ｒｏｏｔ＝２を用いて同一のＳＲＳシーケンスを生成することができる。
【０１１５】
提案１−４
【０１１６】
基地局は、周波数ホッピング（例えば、ｉｎｔｒａ−ｓｌｏｔホッピング、ｉｎｔｅｒ−ｓｌｏｔホッピング）がイネーブルされたＳＲＳリソースに設定するシーケンス生成パラメータ（例えば、ＴＣ、ＴＣ  ｏｆｆｓｅｔ、ＣＳ、ｒｏｏｔの値）は、周波数ホッピングのときに変更されないように設定することができる。最も一般的なシーケンス生成パラメータ設定でホッピングを行うとき、特定のＳＲＳ  ｉｎｓｔａｎｃｅにおいてオーバーラップされる周波数領域を出来る限り避けたり、又はオーバーラップされる周波数領域でｌｏｗ  ｃｏｒｒｅｌａｔｅｄとなるようにホッピングパターンを生成した方が好ましい。
【０１１７】
提案２
【０１１８】
周波数ホッピング設定方法には、スロットレベル周波数ホッピング設定（ｉｎｔｅｒ−ｓｌｏｔホッピング設定）と、シンボルレベル周波数ホッピング設定（ｉｎｔｒａ−ｓｌｏｔホッピング設定）とがある。
【０１１９】
−  ｉｎｔｅｒ−ｓｌｏｔホッピング設定のためのパラメータ
【０１２０】
Ｉｎｔｅｒ−ｓｌｏｔホッピング設定のためのパラメータがＳＲＳリソース位置情報を含む場合：ｉｎｔｅｒ−ｓｌｏｔホッピング設定のためのパラメータは、各スロットにおいてＳＲＳリソース割り当てバンド及び位置を示す値（例えば、特定の端末に対するＳＲＳ割り当て開始ＲＥ（Ｒｅｓｏｕｒｃｅ  Ｅｌｅｍｅｎｔ）値、ＳＲＳ割り当て開始ＲＢ（Ｒｅｓｏｕｒｃｅ  Ｂｌｏｃｋ）値、ＳＲＳ割り当て終了ＲＥ値、ＳＲＳ割り当て終了ＲＢ値、スロット当たりＳＲＳが送信される範囲及び周波数位置を示す値（例えば、ＲＩＶ（ｒｅｓｏｕｒｃｅ  ｉｎｄｉｃａｔｉｏｎ  ｖａｌｕｅ））、１つのスロット内に適用する副帯域インデックス、１つのスロット内に適用する部分帯域インデックスなど）、ｉｎｔｅｒ−ｓｌｏｔホッピング周期、ｉｎｔｅｒ−ｓｌｏｔホッピングイネーブルフラグなどを含むことができる。
【０１２１】
ホッピングパターンを用いる場合：ｉｎｔｅｒ−ｓｌｏｔホッピング設定のためのパラメータは、ｉｎｔｅｒ−ｓｌｏｔホッピング周期、ｉｎｔｅｒ−ｓｌｏｔホッピングイネーブルフラグ、ｉｎｔｅｒ−ｓｌｏｔホッピングパターンに関する情報を含むことができる。
【０１２２】
−  ｉｎｔｒａ−ｓｌｏｔホッピング設定のためのパラメータ
【０１２３】
Ｉｎｔｒａ−ｓｌｏｔホッピング設定のためのパラメータがＳＲＳリソース位置情報を含む場合：ｉｎｔｒａ−ｓｌｏｔホッピング設定のためのパラメータは、各シンボルにおいてＳＲＳリソース割り当て位置を示す値（例えば、ＲＩＶ（ｒｅｓｏｕｒｃｅ  ｉｎｄｉｃａｔｉｏｎ  ｖａｌｕｅ）、ＲＥ／ＲＢ  ｉｎｄｅｘ、ｓｕｂ−ｂａｎｄ  ｉｎｄｅｘ、ｐａｒｔｉａｌ  ｂａｎｄ  ｉｎｄｅｘ）、ＳＲＳ送信スロット内の設定された（ｃｏｎｆｉｇｕｒｅｄ）ＳＲＳシンボル数及びインデックス、ｉｎｔｒａ−ｓｌｏｔホッピング周期、ｉｎｔｒａ−ｓｌｏｔホッピングイネーブルフラグなどを含むことができる。
【０１２４】
ホッピングパターンを用いる場合：ｉｎｔｒａ−ｓｌｏｔホッピング設定のためのパラメータは、ＳＲＳ送信スロット内の設定されたＳＲＳシンボル数及びインデックス、ｉｎｔｒａ−ｓｌｏｔホッピング周期、ｉｎｔｒａ−ｓｌｏｔホッピングパターン、ｉｎｔｒａ−ｓｌｏｔホッピングイネーブルフラグなどを含むことができる。このようなパラメータは、以下のような設定によって基地局が端末に送信することができる。
【０１２５】
ホッピング設定は、ｉｎｔｒａ−ｓｌｏｔ／ｉｎｔｅｒ−ｓｌｏｔホッピングの２つの組み合わせで示すことができ、ホッピング周期（ｈｏｐｐｉｎｇ  ｃｙｃｌｅ）は、以下のように定義される。ｉｎｔｒａ−ｓｌｏｔホッピング周期は、与えられたＳＲＳスロットにおいてＳＲＳのシンボル数によって割り当てられたＳＲＳリソースが各シンボルごとにホッピングされ、また元のＳＲＳ周波数位置に戻るまでのＳＲＳのシンボル数と定義することができる。ｉｎｔｅｒ−ｓｌｏｔホッピング周期は、ＳＲＳリソース位置がＳＲＳスロットごとにホッピングして、また元のＳＲＳ周波数位置に戻るまでのＳＲＳスロット数と定義することができる。
【０１２６】
提案２−１
【０１２７】
周期的／半持続的（ｓｅｍｉ−ｐｅｒｓｉｓｔｅｎｔ）ＳＲＳの場合、基地局は、ｉｎｔｒａ−ｓｌｏｔホッピング設定のためのパラメータをｄｅｄｉｃａｔｅｄ  ＲＲＣシグナリングを介して端末に送信、ｉｎｔｅｒ−ｓｌｏｔホッピング設定のためのパラメータは、ＳＲＳ送信スロットのためのＤＣＩを介して送信することができる。ＤＣＩシグナリングオーバーヘッドは、ＳＲＳ送信スロットごとに増加するが、ｉｎｔｅｒ−ｓｌｏｔホッピングに関する情報を動的に取得して、ｉｎｔｅｒ−ｓｌｏｔホッピングがフレキシブルに設定されることができる。一実施例として、周期的／半持続的ＳＲＳトリガリングのとき、ｉｎｔｒａ−ｓｌｏｔホッピングのためのパラメータのＲＲＣシグナリングを介した送信及びｉｎｔｅｒ−ｓｌｏｔホッピング設定のためのパラメータは、ＤＣＩを介して送信を例示する。
【０１２８】
図１３は、ｉｎｔｒａ−ｓｌｏｔホッピングパラメータはＲＲＣシグナリングで送信され、ｉｎｔｅｒ−ｓｌｏｔホッピングパラメータはＤＣＩシグナリングで送信される例示を示す。
【０１２９】
図１３を参照すると、ｉｎｔｒａ−ｓｌｏｔホッピング設定のための（ｄｅｄｉｃａｔｅｄ）ＲＲＣシグナリングの例示として、以下のような情報が（ｄｅｄｉｃａｔｅｄ）ＲＲＣシグナリングで送信される（ＳＲＳ設定された（割り当て）開始ＲＢ  ｉｎｄｅｘ＝１、ＳＲＳ設定された（割り当て）終了ＲＢ  ｉｎｄｅｘ＝１７、ＳＲＳ  ＢＷ＝１６ＲＢｓ、ＳＲＳ送信スロット内の設定されたＳＲＳのシンボル数＝４個、設定されたＳＲＳの開始シンボル位置インデックス＝８、設定されたＳＲＳ終了シンボル位置インデックス＝１１、部分帯域インデックス＝１、シンボルホッピング周期＝４シンボル）。
【０１３０】
図１３を参照すると、ｉｎｔｅｒ−ｓｌｏｔホッピング設定のためのＤＣＩシグナリングの例示として、以下のような情報がＤＣＩシグナリングを介して送信される。
【０１３１】
−  １番目のＳＲＳスロットのためのＤＣＩは、ＳＲＳ開始ＲＢインデックス＝１、ＳＲＳ終了ＲＢインデックス＝６５、部分帯域インデックス＝１、ｉｎｔｅｒ−ｓｌｏｔホッピング周期：２ＳＲＳスロットなどを指示することができる。
【０１３２】
−  ２番目のＳＲＳスロットのためのＤＣＩは、ＳＲＳ割り当て開始ＲＢインデックス＝６５、ＳＲＳ割り当て終了ＲＢインデックス＝１２９、部分帯域インデックス＝１、ｉｎｔｅｒ−ｓｌｏｔホッピング周期：２ＳＲＳスロットなどを指示することができる。
【０１３３】
ｉｎｔｅｒ−ｓｌｏｔ／ｉｎｔｒａ−ｓｌｏｔホッピングパターンは、以下の例示より理解される。ＮＲにおいて一フレーム
0006864095.tif 000029
内のスロット数が
0006864095.tif 000030
であり、このときの各スロットのインデックスは
0006864095.tif 000031
で示し、
0006864095.tif 000032
は設定されたＳＲＳのシンボルインデックス、
0006864095.tif 000033
はＳＲＳ送信周期というとき、ホッピングのための
0006864095.tif 000034
は、以下の数式２のように設定することができる。
【０１３４】
【数２】
0006864095.tif 000035
但し、
0006864095.tif 000036
は副帯域インデックス
0006864095.tif 000037
によるｉｎｔｒａ−ｓｌｏｔホッピングポジション（ｐｏｓｉｔｉｏｎ）関数である。
0006864095.tif 000038
は１つのＳＲＳ副帯域にまたがる（ｓｐａｎ）。
0006864095.tif 000039
、
0006864095.tif 000040
は副帯域の帯域幅を示すＲＥ数である。
0006864095.tif 000041
であり、
0006864095.tif 000042
は全体副帯域の数である。
0006864095.tif 000043
はスクランブリング関数である。
【０１３５】
図１３の例示は、局部的（ｌｏｃａｌｉｚｅｄ）周波数領域でホッピングを行った後、次のＳＲＳ送信スロットにおいて他の局部的周波数領域におけるホッピング設定を可能にする例示であって、狭帯域ＲＦを有する端末の場合にはホッピングのときに局部的周波数領域でホッピングし、リチューニング遅延（ｒｅ−ｔｕｎｉｎｇ  ｄｅｌａｙ）を考慮して、次のスロットにおいて他の局部的周波数領域でホッピングするのが有利である。
【０１３６】
別の実施例として、周期的ＳＲＳトリガリングのとき、基地局は、ｉｎｔｒａ−ｓｌｏｔホッピングのためのパラメータをＲＲＣシグナリングで送信、及びｉｎｔｅｒ−ｓｌｏｔホッピング設定のためのパラメータのＤＣＩシグナリングで送信することができる。
【０１３７】
図１４は、基地局がｉｎｔｒａ−ｓｌｏｔホッピングパラメータをＤＣＩシグナリングで送信して、ｉｎｔｅｒ−ｓｌｏｔホッピングパラメータはＲＲＣシグナリングで送信する場合を例示した図である。
【０１３８】
−  ｉｎｔｅｒ−ｓｌｏｔホッピング設定のためのＤＣＩ送信の例示
【０１３９】
基地局は、１番目のＳＲＳスロットのためのＤＣＩにおいて、ＳＲＳ副帯域インデックス（１〜６４ＲＢ）＝１、部分帯域インデックス＝１、ｉｎｔｅｒ−ｓｌｏｔホッピング周期＝２ＳＲＳスロットなどを指示することができる。基地局は、２番目のＳＲＳスロットのためのＤＣＩにおいて、ＳＲＳ副帯域インデックス（１〜６４ＲＢ）＝２、部分帯域インデックス＝１、ｉｎｔｅｒ−ｓｌｏｔホッピング周期＝２ＳＲＳスロットなどを指示することができる。
【０１４０】
提案２−１−２
【０１４１】
周期的ＳＲＳ及び／又は半持続的ＳＲＳの場合、基地局は、ｉｎｔｅｒ−ｓｌｏｔホッピング設定のためのパラメータは（ｄｅｄｉｃａｔｅｄ）ＲＲＣシグナリングで送信して、ｉｎｔｒａ−ｓｌｏｔホッピング設定のためのパラメータはＳＲＳ送信スロットのためにＤＣＩを介して端末に送信してもよい。
【０１４２】
固定されたｉｎｔｅｒ−ｓｌｏｔホッピングパターン内でフレキシブルにｉｎｔｒａ−ｓｌｏｔホッピングを適用するときに考慮することができる。但し、ｉｎｔｒａ−ｓｌｏｔホッピングのためのパラメータ送信のオーバーヘッドが増加する。
【０１４３】
図１５は、提案２−１−２に従って、基地局がｉｎｔｒａ−ｓｌｏｔホッピングパラメータをＲＲＣシグナリングで送信して、ｉｎｔｅｒ−ｓｌｏｔホッピングパラメータはＤＣＩで送信する場合を例示した図である。
【０１４４】
一実施例として、周期的／半持続的ＳＲＳ送信のとき、基地局は、ｉｎｔｅｒ−ｓｌｏｔホッピング設定のためのパラメータをＲＲＣシグナリングで送信して、ｉｎｔｒａ−ｓｌｏｔホッピング設定のためのパラメータはＤＣＩで送信することができる（シンボル当たりＳＲＳリソース位置を指定する場合）。以下、図１５を参照して説明する。
【０１４５】
−  ｉｎｔｅｒ−ｓｌｏｔホッピング設定のための（Ｄｅｄｉｃａｔｅｄ）ＲＲＣシグナリング送信の例示：ｉｎｔｅｒ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１２９ＲＢ、部分帯域インデックス＝１、ｉｎｔｅｒ−ｓｌｏｔホッピング周期＝２ＳＲＳスロットなどを指示することができる。
【０１４６】
−  ｉｎｔｒａ−ｓｌｏｔホッピング設定のためのＤＣＩ送信の例示
【０１４７】
１番目のＳＲＳスロットのためのＤＣＩは、ＳＲＳ  ＢＷ＝１６ＲＢｓ、ＳＲＳ送信スロット内の設定されたＳＲＳのシンボル数＝４個、設定されたＳＲＳの開始シンボル位置＝８、設定されたＳＲＳの割り当て終了シンボル位置＝１１、部分帯域インデックス＝１、シンボルホッピング周期＝４シンボルなどを指示することができる。図１５のように、１番目のＳＲＳスロットのためのＤＣＩは、１ｓｔシンボルＳＲＳ開始ＲＢインデックス＝１、１ｓｔシンボルＳＲＳ終了ＲＢインデックス＝１７、２ｎｄシンボルＳＲＳ開始ＲＢインデックス＝１７、２ｎｄシンボルＳＲＳ終了ＲＢインデックス＝３３、３ｒｄシンボルＳＲＳ開始ＲＢインデックス＝３３、３ｒｄシンボルＳＲＳ終了ＲＢインデックス＝４９、４ｔｈシンボルＳＲＳ開始ＲＢインデックス＝４９、４ｔｈシンボルＳＲＳ終了ＲＢインデックス＝６５を指示する。
【０１４８】
２番目のＳＲＳスロットのためのＤＣＩは、ＳＲＳ  ＢＷ＝３２ＲＢｓ、ＳＲＳ送信スロット内の設定されたＳＲＳのシンボル数＝２個、設定されたＳＲＳの開始シンボル位置＝８、設定されたＳＲＳ終了シンボル位置＝９、部分帯域インデックス＝１、シンボルホッピング周期＝２シンボルなどを指示することができる。図１５のように、１番目のＳＲＳスロットのためのＤＣＩは、１ｓｔシンボルＳＲＳ開始ＲＢインデックス＝６５、１ｓｔシンボルＳＲＳ終了ＲＢインデックス＝９７、２ｎｄシンボルＳＲＳ割り当て開始ＲＢインデックス＝９７、２ｎｄシンボルＳＲＳ割り当て終了ＲＢインデックス＝１２９を指示する。
【０１４９】
別の実施例として、周期的ＳＲＳ送信のとき、基地局は、ｉｎｔｅｒ−ｓｌｏｔホッピング設定のためのパラメータをＲＲＣシグナリングで送信して、ｉｎｔｒａ−ｓｌｏｔホッピング設定のためのパラメータはＤＣＩで送信する例示（但し、シンボル当たりＳＲＳリソース位置は、ｉｎｔｒａ−ｓｌｏｔホッピングパターンによって決定）する。
【０１５０】
ｉｎｔｅｒ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１２９ＲＢ、部分帯域インデックス＝１、ｉｎｔｅｒ−ｓｌｏｔホッピング周期＝２ＳＲＳスロットなどを指示することができる。
【０１５１】
ｉｎｔｒａ−ｓｌｏｔホッピング設定のための（Ｄｅｄｉｃａｔｅｄ）ＲＲＣシグナリングは、１番目のＳＲＳスロットのためのＤＣＩは、ＳＲＳ  ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示することができる。２番目のＳＲＳスロットのためのＤＣＩは、ＳＲＳ  ＢＷ＝３２ＲＢｓ、ＳＲＳ送信スロット内の設定されたＳＲＳのシンボル数＝２個、設定されたＳＲＳ開始シンボル位置＝８、設定されたＳＲＳ終了シンボル位置＝９、部分帯域インデックス＝１、部分帯域内の副帯域インデックス＝２、シンボルホッピング周期＝２シンボルなどを指示することができる。
【０１５２】
提案２−１−３
【０１５３】
周期的／半持続的ＳＲＳの場合、基地局は、ｉｎｔｅｒ−ｓｌｏｔ周波数ホッピング設定のためのパラメータと、ｉｎｔｒａ−ｓｌｏｔホッピング設定のためのパラメータを（ｄｅｄｉｃａｔｅｄ）ＲＲＣシグナリングで端末に送信することができる。提案２−１−３のような設定は、周波数ホッピングのためのオーバーヘッドが最も小さい設定の１つである。ｉｎｔｒａ−ｓｌｏｔホッピングとｉｎｔｅｒ−ｓｌｏｔホッピングを適用するとき、ホッピングパターンに従って規則的にホッピングが行われる。
【０１５４】
図１６は、提案２−１−３によるｉｎｔｒａ−ｓｌｏｔホッピング設定のためのパラメータ及びｉｎｔｅｒ−ｓｌｏｔホッピング設定のためのパラメータをＲＲＣシグナリングで送信することを例示した図である。
【０１５５】
ｉｎｔｅｒ−ｓｌｏｔホッピング設定のための（Ｄｅｄｉｃａｔｅｄ）ＲＲＣの例示
【０１５６】
ｉｎｔｅｒ−ｓｌｏｔホッピング設定のためのＤｅｄｉｃａｔｅｄ  ＲＲＣシグナリングは、ＳＲＳ割り当て開始ＲＢインデックス＝１、ＳＲＳ割り当て終了ＲＢインデックス＝１２９ＲＢ、部分帯域インデックス＝１、ｉｎｔｅｒ−ｓｌｏｔホッピング周期＝２ＳＲＳスロットなどを指示することができる。
【０１５７】
ｉｎｔｒａ−ｓｌｏｔホッピング設定のための（Ｄｅｄｉｃａｔｅｄ）ＲＲＣの例示
【０１５８】
ｉｎｔｒａ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１７、ＳＲＳ  ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示することができる。
【０１５９】
提案２−１−４
【０１６０】
周期的／半持続的ＳＲＳの場合、基地局は、ｉｎｔｅｒ−ｓｌｏｔホッピング設定のためのパラメータと、ｉｎｔｒａ−ｓｌｏｔホッピング設定のためのパラメータは（ｄｅｄｉｃａｔｅｄ）ＲＲＣで送信するが、一部のパラメータはＤＣＩを介してＳＲＳ送信スロットのホッピング情報のために送信することができる。特定の一部パラメータの動的な情報取得によって、ホッピングするときに若干のフレキシブルな設定を可能にすることができる。この場合、オーバーヘッドの負担が大きくない。
【０１６１】
一部ホッピングパラメータのＤＣＩ送信の例示
【０１６２】
ｉｎｔｅｒ−ｓｌｏｔホッピング設定のためのＤｅｄｉｃａｔｅｄ  ＲＲＣシグナリングは、ＳＲＳ割り当て開始ＲＢインデックス＝１、ＳＲＳ割り当て終了ＲＢインデックス＝１２９、部分帯域インデックス＝１、ｉｎｔｅｒ−ｓｌｏｔホッピング周期＝２ＳＲＳスロットなどを指示することができる。ｉｎｔｒａ−ｓｌｏｔホッピング設定のためのＤｅｄｉｃａｔｅｄ  ＲＲＣシグナリングは、ＳＲＳ  ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示することができる。
【０１６３】
ｉｎｔｒａ−ｓｌｏｔホッピング設定のためのＤＣＩ
【０１６４】
１番目のＳＲＳスロットのためのＤＣＩは、ＳＲＳ副帯域インデックス（１〜６４ＲＢ）＝１であることを指示することができる。２番目のＳＲＳスロットのためのＤＣＩは、ＳＲＳ副帯域インデックス（１〜６４ＲＢ）＝２であることを指示することができる。
【０１６５】
提案２−１−５
【０１６６】
周期的／半持続的ＳＲＳの場合、ホッピング周期（ホッピング開始リソースにおいてホッピングを行った後、また始めのホッピングリソース位置に戻る間隔）の間に、ホッピングを行った後、次のホッピングを行うとき、シンボル間のホッピングパターンを異ならせるパラメータ（例えば、ホッピングオフセット値）を定義する。このパラメータは、ＤＣＩ又はＲＲＣシグナリングで送信されることができる。
【０１６７】
提案２−１−５によるホッピングオフセットは、ホッピングパターンを一定時間において異ならせて、ホッピングのときに発生する干渉の影響を分散する効果があり得る。実施例として、ホッピングパターンをホッピング周期ごとに異ならせるパラメータを適用することができる。
【０１６８】
図１７は、ホッピング周期ごとに異なるｉｎｔｒａ−ｓｌｏｔホッピングパターンを適用することを例示した図である。
【０１６９】
ホッピング周期ごとにｉｎｔｒａ−ｓｌｏｔホッピングパターンを変化させるためのパラメータ
0006864095.tif 000044
を考慮するとき、
0006864095.tif 000045
はホッピング周期ごとに基地局が端末にＤＣＩで送信するか、数式３における
0006864095.tif 000046
に従い、図１５のようにその前のホッピング周期で使用していたｉｎｔｒａ−ｓｌｏｔホッピングパターンではない他のｉｎｔｒａ−ｓｌｏｔホッピングパターンでホッピングを行わせる。
【０１７０】
ホッピング周期が
0006864095.tif 000047
であるとき、以下の数式３のように示すことができる。
【０１７１】
【数３】
0006864095.tif 000048
但し、
0006864095.tif 000049
は一ＳＲＳスロットに割り当てられたＳＲＳのシンボル数である。
0006864095.tif 000050
は、１つのシンボルに割り当てられるＳＲＳリソース長さ、ＵＬ  ＢＷ長さ、
0006864095.tif 000051
と
0006864095.tif 000052
を用いて示すことができる。すなわち、
0006864095.tif 000053
。
【０１７２】
提案２−２−１
【０１７３】
非周期的ＳＲＳの場合、基地局は、ｉｎｔｅｒ−ｓｌｏｔホッピング設定のためのパラメータと、ｉｎｔｒａ−ｓｌｏｔホッピング設定のためのパラメータを（ｄｅｄｉｃａｔｅｄ）ＲＲＣで設定して、端末に送信することができる。或いは、ＭＡＣ−ＣＥで設定／送信することができる。基地局がＭＡＣ−ＣＥで送信するときには、ａｃｔｉｖａｔｉｏｎ  ｓｉｇｎａｌとｄｅａｃｔｉｖａｔｉｏｎ  ｓｉｇｎａｌ又はタイマーを用いて、ＭＡＣ−ＣＥで送信されたホッピングパラメータの有効区間が定められる。既に定義されたｉｎｔｒａ−ｓｌｏｔ／ｉｎｔｅｒ−ｓｌｏｔホッピングパターンで動的にＳＲＳがトリガリングされる度にホッピングされることができる。この場合、オーバーヘッドも少ない。
【０１７４】
図１８は、非周期的ＳＲＳ送信時に同一のｉｎｔｒａ−ｓｌｏｔホッピングパターンを適用することを例示した図である。
【０１７５】
ｉｎｔｅｒ−ｓｌｏｔホッピング設定のためのパラメータと、ｉｎｔｒａ−ｓｌｏｔホッピング設定のためのパラメータがＲＲＣシグナリングで設定／送信されることができる（特定の副帯域におけるホッピング適用の例示）。
【０１７６】
ｉｎｔｅｒ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１２９、副帯域インデックス＝１、部分帯域インデックス＝１などを指示することができる。ｉｎｔｒａ−ｓｌｏｔホッピング設定のための（Ｄｅｄｉｃａｔｅｄ）ＲＲＣシグナリングは、ＳＲＳ  ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、副帯域インデックス＝１、部分帯域インデックス＝１、シンボルホッピング周期＝４シンボルなどを指示することができる。
【０１７７】
図１８のように、ｉｎｔｅｒ−ｓｌｏｔホッピング設定のためのパラメータと、ｉｎｔｒａ−ｓｌｏｔホッピング設定のためのパラメータがＲＲＣシグナリングで設定／送信され、非周期的ＳＲＳはＳＲＳスロット１、ＳＲＳスロット５、ＳＲＳスロット１２においてトリガリングされる。
0006864095.tif 000054
で設定される場合、シンボルホッピングパターンが同一に提示される例示となり得る。
【０１７８】
図１９は、非周期的ＳＲＳ送信時に異なるｉｎｔｒａ−ｓｌｏｔホッピングパターンを適用することを例示した図である。
【０１７９】
0006864095.tif 000055
で設定される場合、図１９のように、スロットごとに異なるｉｎｔｒａ−ｓｌｏｔパターンを示すことができる。別の実施例として、基地局は、ｉｎｔｅｒ−ｓｌｏｔホッピング設定のためのパラメータと、ｉｎｔｒａ−ｓｌｏｔホッピング設定のためのパラメータをＲＲＣシグナリングで設定／送信（特定の部分帯域におけるホッピング適用の例示）することができる。
【０１８０】
図２０は、非周期的ＳＲＳ送信時に異なるｉｎｔｒａ−ｓｌｏｔホッピングパターンを適用することを例示（部分帯域にわたったホッピング）した図である。
【０１８１】
ｉｎｔｅｒ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１２９、部分帯域インデックス＝１などを指示することができる。ｉｎｔｒａ−ｓｌｏｔホッピング設定のためのＤｅｄｉｃａｔｅｄ  ＲＲＣシグナリングは、ＳＲＳ  ＢＷ＝３２ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、シンボルホッピング周期＝４シンボルなどを指示することができる。
【０１８２】
図２０のように、ｉｎｔｅｒ−ｓｌｏｔホッピング設定のためのパラメータと、ｉｎｔｒａ−ｓｌｏｔホッピング設定のためのパラメータがＲＲＣシグナリングで設定／送信され、非周期的ＳＲＳは、ＳＲＳスロット１、ＳＲＳスロット５、ＳＲＳスロット１２においてトリガリングされる。
0006864095.tif 000056
で設定される場合、スロットごとに異なるｉｎｔｒａ−ｓｌｏｔパターンを示すことができる。
【０１８３】
提案２−２−２
【０１８４】
非周期的ＳＲＳの場合、基地局は、ｉｎｔｅｒ−ｓｌｏｔホッピング設定のためのパラメータを（ｄｅｄｉｃａｔｅｄ）ＲＲＣシグナリングで設定／送信して、ｉｎｔｒａ−ｓｌｏｔホッピング設定のためのパラメータは、ＳＲＳがトリガリングされるときにＤＣＩで設定／送信することができる。逆に、基地局は、ｉｎｔｅｒ−ｓｌｏｔホッピング設定のためのパラメータをＤＣＩでＳＲＳがトリガリングされる度に設定／送信して、ｉｎｔｒａ−ｓｌｏｔホッピング設定のためのパラメータは（ｄｅｄｉｃａｔｅｄ）ＲＲＣシグナリングで設定／送信することができる。
【０１８５】
基地局は動的にｉｎｔｒａ−ｓｌｏｔホッピング、ｉｎｔｅｒ−ｓｌｏｔホッピングのためのパラメータに関する情報をＳＲＳがトリガリングされる度に端末に提供することができる。もちろん、この場合、基地局のシグナリングオーバーヘッドは増加する可能性がある。
【０１８６】
図２１は、非周期的ＳＲＳ送信時に異なるｉｎｔｒａ−ｓｌｏｔホッピングパターンを適用することを例示（特定の副帯域にわたったホッピング）した図である。一実施例として、非周期的ＳＲＳの場合、基地局は、ｉｎｔｅｒ−ｓｌｏｔホッピング設定のためのパラメータは（ｄｅｄｉｃａｔｅｄ）ＲＲＣシグナリングで設定／送信して、ｉｎｔｒａ−ｓｌｏｔホッピング設定のためのパラメータはＤＣＩで設定／送信することができる。図２１において、ＳＲＳスロット位置が１、５、１２であるインデックスでＳＲＳが非周期的にトリガリングされる。基地局は非周期的なＳＲＳをトリガリングすることを指示するとき、以下の情報を共に端末に送信することができる。ｉｎｔｅｒ−ｓｌｏｔホッピング設定のための（Ｄｅｄｉｃａｔｅｄ）ＲＲＣシグナリングは、ＳＲＳ割り当て開始ＲＢインデックス＝１、ＳＲＳ割り当て終了ＲＢインデックス＝１２９、部分帯域インデックス＝１であることを指示することができる。
【０１８７】
ｉｎｔｒａ−ｓｌｏｔホッピング設定のためのＤＣＩ送信の例示として、ＳＲＳスロット１のためのＤＣＩは、ＳＲＳ  ＢＷ＝１６ＲＢｓ、ＳＲＳ送信スロット内の設定されたＳＲＳのシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示することができる。ＳＲＳスロット５のためのＤＣＩは、ＳＲＳ  ＢＷ＝３２ＲＢｓ、ＳＲＳ送信スロット内の設定されたＳＲＳシンボル数＝２個、設定されたＳＲＳ開始シンボル位置＝８、設定されたＳＲＳ終了シンボル位置＝９、部分帯域インデックス＝１、部分帯域内の副帯域インデックス＝２、シンボルホッピング周期＝２シンボルなどを指示することができる。ＳＲＳスロット１２のためのＤＣＩは、ＳＲＳ  ＢＷ＝１６ＲＢｓ、ＳＲＳ送信スロット内の設定されたＳＲＳシンボル数＝４個、設定されたＳＲＳ開始シンボル位置＝８、設定されたＳＲＳ終了シンボル位置＝１１、部分帯域インデックス＝１、部分帯域内の副帯域インデックス＝１、シンボルホッピング周期＝４シンボルなどを指示することができる。
【０１８８】
このとき、ｉｎｔｒａ−ｓｌｏｔパターンを示す値が
0006864095.tif 000057
であるとき、スロットごとに異なるｉｎｔｒａ−ｓｌｏｔパターンで設定することができる。
【０１８９】
提案２−２−３
【０１９０】
非周期的ＳＲＳの場合、基地局は、ｉｎｔｅｒ−ｓｌｏｔホッピング設定のためのパラメータ及び／又はｉｎｔｒａ−ｓｌｏｔホッピング設定のためのパラメータのうち、特定のセットに関する情報をＲＲＣシグナリングで設定／送信するか、要請フィールドを含むＤＣＩを介して端末に送信することができる。この場合、シグナリングオーバーヘッドは相当に減らすことができる。
【０１９１】
図２２は、非周期的ＳＲＳ送信時にホッピングパラメータセットを用いた要請フィールド送信によるＳＲＳ送信を例示した図である。
【０１９２】
以下の表１２は、提案２−２−３に従うｉｎｔｒａ−ｓｌｏｔホッピング設定パラメータセットを例示した表である。
【０１９３】
【表１２】
0006864095.tif 000058
【０１９４】
図２２のように、非周期的ＳＲＳは、ＳＲＳスロット位置が１、５、１２に該当するスロットインデックスでトリガリングされる。図２２は、基地局がＳＲＳスロット１のための要請フィールドは‘00 ’を指示するＤＣＩを、ＳＲＳスロット５のための要請フィールドは‘01’を指示するＤＣＩを、ＳＲＳスロット１２のための要請フィールドは‘11 ’を指示するＤＣＩを端末に送信することを例示している。
【０１９５】
提案２−２−４
【０１９６】
非周期的ＳＲＳの場合、基地局は、ｉｎｔｅｒ−ｓｌｏｔホッピングパターンのセットはＲＲＣシグナリングで設定／送信して、非周期的な多重ＳＲＳのシンボルをトリガリングするときにはｉｎｔｒａ−ｓｌｏｔホッピング要請フィールドをＤＣＩを介して送信することもできる。ＳＲＳがトリガリングされるとき、多重ＳＲＳのシンボル間に異なるホッピングパターンがフレキシブルに設定されることができる。以下の表１３は、シンボルレベルホッピング要請フィールドを例示した表である。
【０１９７】
【表１３】
0006864095.tif 000059
【０１９８】
提案２−２−５
【０１９９】
ｉｎｔｒａ−ｓｌｏｔホッピングパターンのセット（例えば、表１３のようなホッピング要請フィールド00’、01’、10’、11’）と、シーケンスパラメータセット（例えば、ＴＣ、ＴＣ  ｏｆｆｓｅｔ、ＣＳ、ｒｏｏｔなど）の組み合わせを示すセットを基地局がＲＲＣシグナリングで設定／送信して、そのＳＲＳトリガリングされたスロットにおいて適用するための１つ又は複数の要請フィールドはＵＬ  ＤＣＩで送信することができる。一例として、表１４は、シーケンスパラメータセット（例えば、ＴＣ、ＴＣ  ｏｆｆｓｅｔ、ＣＳ、ｒｏｏｔなど）とホッピングパラメータセットの要請フィールドを例示する。
【０２００】
【表１４】
0006864095.tif 000060
【０２０１】
端末は、ＤＣＩで受けた要請フィールドが指示するホッピングパターンと、シーケンスパラメータセットを選択して、ＳＲＳシーケンスを生成してＳＲＳを送信することができる。
【０２０２】
提案２−２−６
【０２０３】
非周期的な多重ＳＲＳシンボルをトリガリングするとき、トリガリングカウンタ（ｔｒｉｇｇｅｒｉｎｇ  ｃｏｕｎｔｅｒ）（Ｎ）を導入する。トリガリングカウンタＮは、基地局がＤＣＩ又はＲＲＣシグナリングを介して設定／送信することができる。
【０２０４】
図２３は、トリガリングカウンタＮ＝３であるときのホッピングを例示した図である。
【０２０５】
0006864095.tif 000061
において、ｎは基準ＵＬスロットから非周期的な多重ＳＲＳシンボルがトリガリングされた数で示すことができる。
【０２０６】
提案２−３
【０２０７】
半持続的ＳＲＳの場合、ｉｎｔｒａ−ｓｌｏｔ及び／又はｉｎｔｅｒ−ｓｌｏｔホッピングのために、スロット／シンボルレベルパラメータと共に、ホッピング実行及びホッピング実行終了を示す動作のためのパラメータ（例えば、スロット／シンボルレベルホッピングが開始されるＳＲＳトリガされたスロットインデックス、半持続的周波数ホッピング活性化（ａｃｔｉｖａｔｉｏｎ）、スロット／シンボルレベルホッピングが終了されるＳＲＳトリガされたスロットインデックス、半持続的周波数ホッピング非活性化（ｄｅａｃｔｉｖａｔｉｏｎ））などに対して、基地局がＤＣＩ又はＭＡＣ−ＣＥを介して端末に設定／送信することができる。ホッピングの非活性化のためのタイマーが活性化時に動作することができる。
【０２０８】
半持続的ＳＲＳが活性化され、ホッピングが活性化される場合、ホッピング設定のためのパラメータが有効になり、ホッピングが非活性化される場合、ホッピング設定のためのパラメータは有効ではなくなる。
【０２０９】
提案２−４
【０２１０】
セルエッジ（ｃｅｌｌ  ｅｄｇｅ）に位置した端末に対しては、基地局は、ＳＲＳ受信電力の取得のためにＳＲＳシンボル反復数を定義して、反復数までは同一位置でＳＲＳリソースを割り当て、次のＳＲＳシンボル又はＳＲＳスロットでホッピングを行うように設定することができる。このとき、シンボル反復数に関する情報は、基地局がＲＲＣシグナリング又はＵＬ  ＤＣＩで端末に送信することができる。よって、反復数だけ同一の周波数リソースに割り当てられたＳＲＳのシンボル間は受信側（基地局）でコンバイニングを行うことができる。
【０２１１】
図２４は、反復数を２（Ｒｅｐｅｔｉｔｉｏｎ  ｒ＝２）に設定したときのシンボルレベルホッピングを例示した図である。
【０２１２】
図２４のように、シンボル反復数ｒ＝２である場合、
0006864095.tif 000062
であるとき、周期的ＳＲＳの場合、
0006864095.tif 000063
で示すことができる。
0006864095.tif 000064
は、設定されたＳＲＳスロット内の設定されたＳＲＳシンボル数である。非周期的ＳＲＳの場合には、１つのスロットにおける設定のみが必要である可能性があるため、
0006864095.tif 000065
で示すことができる。
【０２１３】
提案２−４−１
【０２１４】
セルエッジ（ｃｅｌｌ  ｅｄｇｅ）に位置した端末は、ＳＲＳ受信電力の取得のために設定された多重シンボルにＵＬ全帯域送信を行うことができる。このとき、シーケンスパラメータ及びそのＳＲＳリソースにマッピングされたプリコーディングベクトル、ポートは、同様に適用することができる。
【０２１５】
提案２−５
【０２１６】
ｉｎｔｒａ−ｓｌｏｔ及び／又はｉｎｔｅｒ−ｓｌｏｔホッピング設定を統合する単一ホッピング設定によってＳＲＳホッピングを支援することができる。このときのパラメータは、以下のようである。
【０２１７】
単一ホッピング設定のためのパラメータに関する情報がＳＲＳリソース位置情報を含む場合：単一ホッピング設定のためのパラメータに関する情報は、ホッピングイネーブルシンボルから各シンボルにおいてＳＲＳリソース割り当て位置を示す値（例えば、ＲＩＶ（ｒｅｓｏｕｒｃｅ  ｉｎｄｉｃａｔｉｏｎ  ｖａｌｕｅ）、ＲＥ／ＲＢインデックス、副帯域インデックス、部分帯域インデックス）、ＳＲＳ送信スロット内の設定されたＳＲＳのシンボル数及びインデックス、ｉｎｔｒａ−ｓｌｏｔホッピング周期、ｉｎｔｅｒ−ｓｌｏｔホッピング周期、ホッピングのイネーブル可否を示すホッピングイネーブルフラグなど）に関する情報を含むことができる。
【０２１８】
ホッピングパターンを用いる場合、単一ホッピング設定のためのパラメータに関する情報は、ＳＲＳ送信スロット内の設定されたＳＲＳのシンボル数及びインデックス、シンボル−レベルホッピング周期、スロット−レベルホッピング周期、ｉｎｔｒａ−ｓｌｏｔ及び／又はｉｎｔｅｒ−ｓｌｏｔホッピングパターン、ホッピングイネーブルフラグなどを含むことができる。
【０２１９】
図２５は、ＳＲＳのシンボル数によるホッピングパターンを例示した図である。
【０２２０】
実施例として、ホッピングパターンを用いる場合を例示する。
【０２２１】
周波数ホッピング設定のための（Ｄｅｄｉｃａｔｅｄ）ＲＲＣシグナリングの例示
【０２２２】
周波数ホッピング設定のための（Dedicated）RRCシグナリングは、SRS  ＢＷ＝３２ＲＢ、ＳＲＳ送信スロット内の設定されたＳＲＳのシンボル数
0006864095.tif 000066
設定されたＳＲＳの開始シンボル位置（又は、インデックス）＝８、設定されたＳＲＳの終了シンボル位置（又は、インデックス）＝１１、部分帯域インデックス＝１、シンボルホッピング周期
0006864095.tif 000067
スロットホッピング周期
0006864095.tif 000068
スロットなどに関する情報を含むことができる。
0006864095.tif 000069
で設定する場合（ここで、ｎＳＲＳは時間ドメインにおけるホッピング間隔）、図２５のように、ホッピングパターンがＳＲＳスロットによって変更されるよりは、ＳＲＳのシンボル数によって形成される。
【０２２３】
図２６は、ＳＲＳのシンボル数によるホッピングパターン（ＳＲＳスロット内のＳＲＳのシンボル数がシンボルホッピング周期より小さい場合）を例示した図である。
【０２２４】
別の実施例として、ホッピングパターンを用いる場合を例示する。図２５の例示では、１つのＳＲＳスロット内のシンボル数がシンボルホッピング周期より小さいときにも容易にホッピングを適用することができる。
【０２２５】
周波数ホッピング設定のための（Ｄｅｄｉｃａｔｅｄ）ＲＲＣの例示
【０２２６】
周波数ホッピング設定のための（Ｄｅｄｉｃａｔｅｄ）ＲＲＣシグナリングは、システム帯域幅に関する情報（ＳＲＳ  ＢＷ＝３２ＲＢｓ）、ＳＲＳ送信スロット内の設定されたＳＲＳのシンボル数
0006864095.tif 000070
設定されたＳＲＳの開始シンボル位置（又は、インデックス）＝８、設定されたＳＲＳの終了シンボル位置（又は、インデックス）＝９、部分帯域インデックス＝１、シンボルホッピング周期
0006864095.tif 000071
スロットホッピング周期
0006864095.tif 000072
スロットなどに関する情報を含むことができる。時間ドメインにおけるホッピング間隔であるｎＳＲＳは
0006864095.tif 000073
のように設定されることができる。
【０２２７】
提案３
【０２２８】
周期的／非周期的／半持続的（ｓｅｍｉ−ｐｅｒｓｉｓｔｅｎｔ）ＳＲＳにおいて、シンボルレベルホッピングを設定する場合、部分帯域間のホッピングを支援するために、ホッピングパターンパラメータのＲＲＣ設定と、ＳＲＳリソース位置情報のＤＣＩ設定動作は、以下のうちいずれか１つで行うことができる。
【０２２９】
部分帯域インデックスが含まれたシンボルレベルホッピングパターンパラメータは、ＲＲＣシグナリングで設定／送信されることができる。基地局は、部分帯域インデックスをＳＲＳの多重シンボル送信ごとにＤＣＩで送信して、シンボルレベルホッピングパターンパラメータはＲＲＣシグナリングで設定／送信することができる。但し、部分帯域インデックスは、部分帯域を指定する周波数位置を示す他の情報に取り替えられることができる（例えば、部分帯域の位置及び範囲を示すＲＩＶ、部分帯域開始ＲＥ／ＲＢと終了ＲＥ／ＲＢ）。
【０２３０】
図２７は、以下のＣａｓｅ  １−１に関する説明を例示した図である。
【０２３１】
Ｃａｓｅ  １：１つの部分帯域内でＳＲＳのシンボル間のホッピングパターンを適用して、次のＳＲＳトリガされたスロットで他の部分帯域でホッピングされる場合である。Ｃａｓｅ  １−１として、図２７のように、次のＳＲＳトリガされたスロットでシンボル間ホッピングパターンは、以前のホッピングパターンと同様に設定されることができる。
【０２３２】
実施例として、部分帯域インデックスが含まれたシンボルレベルホッピングパターン設定を例示する。
【０２３３】
ＮＲにおいて、一フレーム
0006864095.tif 000074
内のスロット数が
0006864095.tif 000075
であり、このときの各スロットのインデックスは
0006864095.tif 000076
で示し、
0006864095.tif 000077
は設定されたＳＲＳのシンボルインデックスとすると、ホッピングのための
0006864095.tif 000078
は、以下の数式４のように設定することができる。
【０２３４】
【数４】
0006864095.tif 000079
但し、
0006864095.tif 000080
は部分帯域インデックス
0006864095.tif 000081
によるホッピングポジション関数である。
0006864095.tif 000082
は１つの部分帯域にまたがる。
0006864095.tif 000083
である。
0006864095.tif 000084
は部分帯域の帯域幅を示すＲＥ数である。
0006864095.tif 000085
である。
0006864095.tif 000086
は全体の部分帯域数である。
0006864095.tif 000087
はスクランブリング関数である。
【０２３５】
別の実施例として、基地局は、部分帯域インデックスをＤＣＩで送信して、シンボルレベルホッピングパターンを例示する。
【０２３６】
数式４において、
0006864095.tif 000088
はＤＣＩを介してＳＲＳが送信されるスロットごとに基地局がＤＣＩで送信して、
0006864095.tif 000089
値を用いて、
0006864095.tif 000090
値が構成される。
【０２３７】
図２８は、以下のｃａｓｅ  １−２に関する説明を例示した図である。
【０２３８】
Ｃａｓｅ  １−２：ホッピングパターンに関する情報は、部分帯域インデックス又は部分帯域を示す値（部分帯域のＲＢ及び／又はＲＥなど）などを含むことができ、基地局はホッピングパターンに関する情報を端末−特定（ＵＥ  ｓｐｅｃｉｆｉｃ）に設定することができる。実施例として、図２８の部分帯域インデックスが含まれたシンボル−レベルホッピングパターン設定を以下の数式５のように示すことができる。
【０２３９】
【数５】
0006864095.tif 000091
但し、
0006864095.tif 000092
は１つの部分帯域にまたがる。
反復シンボルを考慮する場合、以下のように示すことができる。
0006864095.tif 000093
,
0006864095.tif 000094
【０２４０】
図２９は、以下のｃａｓｅ  ２に関する説明を例示した図である。
【０２４１】
Ｃａｓｅ  ２として、図２９のように、多重ＳＲＳのシンボルが設定されたスロット内において部分帯域を問わずホッピングパターンが適用できる。
【０２４２】
実施例として、１つの多重ＳＲＳのシンボルが設定されたスロット内の部分帯域を問わないホッピングパターンの例示は、以下の数式６のように示すことができる。
【０２４３】
【数６】
0006864095.tif 000095
但し、
0006864095.tif 000096
は全体の上りリンク帯域幅（ＵＬ  ＢＷ）にスパンされる。
反復シンボルを考慮する場合、以下のように示すことができる。
0006864095.tif 000097
,
0006864095.tif 000098
【０２４４】
図３０は、以下のｃａｓｅ  ３に関する説明を例示した図である。
【０２４５】
Ｃａｓｅ  ３として、部分帯域間の周波数ホッピング許容は禁止されてもよい。図３０（ａ）は、固定的ｉｎｔｒａ−ｓｌｏｔホッピングパターンを例示したものであり、図３０（ｂ）は、他のｉｎｔｅｒ−ｓｌｏｔホッピングパターンを例示したものである。
0006864095.tif 000099
は部分帯域にまたがるように設定されることができる。
【０２４６】
提案４
【０２４７】
周期的／非周期的／半持続的（ｓｅｍｉ−ｐｅｒｓｉｓｔｅｎｔ）ＳＲＳにおいて、部分帯域間のホッピングを支援するｉｎｔｅｒ−ｓｌｏｔ周波数ホッピング設定のためのパラメータに関する情報を送信する方法を提案する。
【０２４８】
提案４−１
【０２４９】
ＳＲＳ周波数リソース位置、ＳＲＳトリガされたスロット内のＳＲＳのシンボル数及びＳＲＳシンボル位置、送信する部分帯域の位置設定に関する情報は、基地局がＲＲＣシグナリング（例えば、ＵＥ  ｄｅｄｉｃａｔｅｄ  ＲＲＣシグナリング）で端末に設定／送信することができる。
【０２５０】
図３１は、周期的／非周期的ＳＲＳを送信するとき、固定されたＳＲＳリソース位置の設定を例示した図である。
【０２５１】
図３１に示された構造は、特定の部分帯域におけるｉｎｔｅｒ−ｓｌｏｔホッピングのみを支援するときに可能なものであって、特に連続して連接されたＳＲＳのシンボルのエネルギーコンバイニング（ｅｎｅｒｇｙ  ｃｏｍｂｉｎｉｎｇ）によってＳＲＳ受信性能が向上可能な構造である。
【０２５２】
提案４−２
【０２５３】
基地局は、ＳＲＳ周波数リソース位置、ＳＲＳトリガされたスロット内のＳＲＳのシンボル数及びＳＲＳのシンボル位置に関する情報は、ＲＲＣシグナリング（例えば、ＵＥ  ｄｅｄｉｃａｔｅｄ  ＲＲＣシグナリング）で設定／送信して、送信する部分帯域位置はＤＣＩで設定／送信することができる。
【０２５４】
提案４−３
【０２５５】
基地局は、ＳＲＳ周波数リソース位置、ＳＲＳトリガされたスロット内のＳＲＳのシンボル数及びＳＲＳのシンボル位置に関する情報は、ＲＲＣシグナリング（例えば、ＵＥ  ｄｅｄｉｃａｔｅｄ  ＲＲＣシグナリング）で設定／送信して、送信する部分帯域位置の設定はｉｎｔｅｒ−ｓｌｏｔホッピングパターンで適用することができる。
【０２５６】
図３２は、周期的／非周期的トリガリングのとき、部分帯域間のホッピング設定を例示した図である。
【０２５７】
図３２に示されたように、部分帯域位置は動的（ｄｙｎａｍｉｃ）に変化することができる。実施例として、ｉｎｔｅｒ−ｓｌｏｔホッピングパターン（部分帯域間ホッピングの例示）の例示は、以下の数式７のように示すことができる。
【０２５８】
【数７】
0006864095.tif 000100
また、反復シンボルを考慮する場合、
0006864095.tif 000101
、
0006864095.tif 000102
のように示すことができる。
【０２５９】
提案４−４
【０２６０】
基地局は、ＳＲＳ周波数リソース位置に関する情報を（Ｄｅｄｉｃａｔｅｄ）ＲＲＣシグナリングで設定／送信して、ＳＲＳのシンボル数及び部分帯域位置に関する情報はＤＣＩで設定／送信することができる。
【０２６１】
提案４−５
【０２６２】
基地局は、ＳＲＳ周波数リソース位置に関する情報を（Ｄｅｄｉｃａｔｅｄ）ＲＲＣシグナリングで設定／送信して、ＳＲＳのシンボル数及び部分帯域位置はｉｎｔｅｒ−ｓｌｏｔホッピングパターンで適用することができる。
【０２６３】
図３３は、周期的／非周期的ＳＲＳトリガリングのとき、部分帯域間のホッピング設定を例示した図である。
【０２６４】
図３３に示されたように、部分帯域ホッピングをＳＲＳ送信時にフレキシブルに支援して、ＳＲＳのシンボル数もｉｎｔｅｒ−ｓｌｏｔホッピングパラメータ設定で行うようにする構造も考えられる。
【０２６５】
提案４−６
【０２６６】
基地局は、ＳＲＳのシンボル数、部分帯域位置に関する情報を（Ｄｅｄｉｃａｔｅｄ）ＲＲＣで設定／送信して、ＳＲＳ周波数リソース位置（例えば、ＲＩＶ）に関する情報をＤＣＩで設定／送信する。
【０２６７】
提案４−７
【０２６８】
基地局は、ＳＲＳのシンボル数、部分帯域位置に関する情報は（Ｄｅｄｉｃａｔｅｄ）ＲＲＣシグナリングで設定／送信して、ＳＲＳ周波数リソース位置に関する情報はｉｎｔｅｒ−ｓｌｏｔホッピングパターンを適用することができる。
【０２６９】
図３４は、周期的／非周期的ＳＲＳトリガリングのとき、ＳＲＳリソース位置を変更することを例示した図（部分帯域は固定）である。図３４に示されたように、部分帯域間のホッピングは禁止されるが、１つの部分帯域内でのｉｎｔｅｒ−ｓｌｏｔホッピングを許可する構造も可能である。
【０２７０】
提案４−８
【０２７１】
基地局は、ＳＲＳのシンボル数に関する情報を（ｄｅｄｉｃａｔｅｄ）ＲＲＣシグナリングで設定／送信して、部分帯域位置、ＳＲＳ周波数リソース位置（例えば、ＲＩＶ）に関する情報はＤＣＩで設定／送信する。
【０２７２】
提案４−９
【０２７３】
基地局は、ＳＲＳのシンボル数に関する情報を（ｄｅｄｉｃａｔｅｄ）ＲＲＣシグナリングで設定／送信して、部分帯域位置はｉｎｔｅｒ−ｓｌｏｔホッピングパターンを用いることができる。基地局は、ＳＲＳ周波数リソース位置（例えば、ＲＩＶ）に関する情報はＤＣＩで設定／送信する。
【０２７４】
提案４−１０
【０２７５】
基地局は、ＳＲＳのシンボル数に関する情報を（ｄｅｄｉｃａｔｅｄ）ＲＲＣシグナリングで設定／送信して、部分帯域位置、ＳＲＳ周波数リソース位置（例えば、ＲＩＶ）に対してはｉｎｔｅｒ−ｓｌｏｔホッピングパターンを適用することができる。
【０２７６】
図３５は、周期的／非周期的ＳＲＳトリガリングのとき、ＳＲＳリソース位置を可変すること（部分帯域位置可変）を例示した図である。
【０２７７】
図３５は、端末間のスロット内のＳＲＳシンボル数は固定して（すなわち、端末と基地局との距離による受信信号差によってエネルギーコンバイニングシンボル数を固定）、ＳＲＳスロット間部分帯域ホッピングを許可する設定を示す。
【０２７８】
提案５
【０２７９】
狭帯域ＲＦを有する端末のＵＬ全帯域又はＵＬ  ＳＲＳ部分帯域の上りリンクリソース割り当てのために、ｉｎｔｒａ−ｓｌｏｔホッピングのとき、リチューニングタイム（ｒｅｔｕｎｉｎｇ  ｔｉｍｅ）を適用可能に設定されたＳＲＳのシンボルのうち所定数のシンボル（ｎシンボル）を空ける。但し、ｎは設定されたＳＲＳのシンボル数
0006864095.tif 000103
より小さい。このｎ値は、各々の狭帯域ＲＦ性能を有する端末のリチューニング遅延によって決定され得るため、狭帯域ＲＦを使用する端末はリチューニング遅延値を基地局に報告することができ、基地局は、この報告に基づいて全体の設定されたＳＲＳのシンボル内にいずれの位置に何個のＳＲＳのシンボルを空けるかを端末に指示することができる。
【０２８０】
提案５−１
【０２８１】
基地局は、設定されたＳＲＳスロット内の空シンボル（ｅｍｐｔｙ  ｓｙｍｂｏｌ）の位置に関する情報をセル−特定ＲＲＣシグナリングで設定／送信することができる。
【０２８２】
基地局は、端末からＲＦ性能を報告されず、一括して特定のＳＲＳのシンボルを空けることになり、この空けられたシンボルは他の上りリンクチャネルのために使用可能である。よって、この空けられるシンボル境界で局部的リソースＳＲＳ内においてシンボルレベルホッピングを行う設定が基本となり得る。
【０２８３】
提案５−２
【０２８４】
基地局は、設定されたＳＲＳスロット内の空シンボル（ｅｍｐｔｙ  ｓｙｍｂｏｌ）の位置はＵＥ−ｄｅｄｉｃａｔｅｄ  ＲＲＣシグナリングで設定／送信することができる。
【０２８５】
提案５−３
【０２８６】
基地局は、設定されたＳＲＳスロット内の空シンボルの位置に対して設定されたシンボル
0006864095.tif 000104
内において空け開始位置
0006864095.tif 000105
から空け始め、またＳＲＳのシンボルを送信するシンボルインデックス
0006864095.tif 000106
で示して端末に送信することができる。但し、このとき、
0006864095.tif 000107
の関係が満たされる。
【０２８７】
提案５−４
【０２８８】
端末のＲＦ性能（全体又は一部ＵＬ帯域をカバーする送信ＲＦ及び／又はＲＦリチューニングの度合いなど）を基地局に報告することができる。基地局は、多重ＳＲＳのシンボルトリガリング（周期的／非周期的／半持続的）のとき、ｉｎｔｒａ−ｓｌｏｔホッピングパターンによって空シンボル（ｅｍｐｔｙ  ｓｙｍｂｏｌ）の位置、空シンボル（ｅｍｐｔｙ  ｓｙｍｂｏｌ）の数及び設定されるＳＲＳのシンボル数をＲＲＣ、ＭＡＣ−ＣＥ、又はＤＣＩで端末−特定に端末に送信することができる。
【０２８９】
図３６は、狭体樹ＲＦ性能を有する端末のＲＦリチューニングを考慮したｉｎｔｒａ−ｓｌｏｔホッピングパターンを例示した図である。
【０２９０】
図３６（ａ）は、特定の端末のＳＲＳ  ＢＷとＲＦ  ＢＷ性能に関して例示して、図３６（ｂ）は、同図（ａ）の性能において１シンボルリチューニングを例示する。
【０２９１】
本発明は、ＮＲにおいてＳＲＳを送信するとき、ＵＬ全帯域サウンディングが要求される可能性がある場合、端末のリンクバジェット（ｌｉｎｋ  ｂｕｄｇｅｔ）などの限界によって全ＵＬ帯域送信が不可能な端末（例えば、セルエッジ端末）が副帯域サウンディングを多重シンボル又は多重スロットにホッピングを実行しながらＵＬ全帯域サウンディングを実行するようにする設定及び方法を提案する。このようなＳＲＳホッピング設定及び方法は、上りリンクリソース割り当てのみならず、状況に応じて、上りリンクビーム管理のために使用されてもよい。また、本発明の提案は、狭帯域ＲＦ性能を有するＮＲ端末のホッピング支援のためにＲＦリチューニングを考慮したＳＲＳホッピング設定に関する方法も提案する。
【０２９２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０２９３】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０２９４】
ＳＲＳを送信する方法及びそのための端末は、３ＧＰＰ  ＬＴＥ／ＬＴＥ−Ａシステム、５Ｇ通信システムなどのような様々な無線通信システムにおいて産業上利用可能である。
【図１】
0006864095.tif 000108
【図２ａ】
0006864095.tif 000109
【図２ｂ】
0006864095.tif 000110
【図３】
0006864095.tif 000111
【図４】
0006864095.tif 000112
【図５】
0006864095.tif 000113
【図６】
0006864095.tif 000114
【図７】
0006864095.tif 000115
【図８】
0006864095.tif 000116
【図９】
0006864095.tif 000117
【図１０】
0006864095.tif 000118
【図１１】
0006864095.tif 000119
【図１２】
0006864095.tif 000120
【図１３】
0006864095.tif 000121
【図１４】
0006864095.tif 000122
【図１５】
0006864095.tif 000123
【図１６】
0006864095.tif 000124
【図１７】
0006864095.tif 000125
【図１８】
0006864095.tif 000126
【図１９】
0006864095.tif 000127
【図２０】
0006864095.tif 000128
【図２１】
0006864095.tif 000129
【図２２】
0006864095.tif 000130
【図２３】
0006864095.tif 000131
【図２４】
0006864095.tif 000132
【図２５】
0006864095.tif 000133
【図２６】
0006864095.tif 000134
【図２７】
0006864095.tif 000135
【図２８】
0006864095.tif 000136
【図２９】
0006864095.tif 000137
【図３０】
0006864095.tif 000138
【図３１】
0006864095.tif 000139
【図３２】
0006864095.tif 000140
【図３３】
0006864095.tif 000141
【図３４】
0006864095.tif 000142
【図３５】
0006864095.tif 000143
【図３６】
0006864095.tif 000144